(57)【特許請求の範囲】
【請求項１】
ウェアラブルインテリジェントデバイスのアイコン表示方法であって、前記デバイスは、第１の表示ユニットおよび取り囲み装置を備え、前記取り囲み装置は、取り囲む様式で前記デバイスを人体に固着するように構成され、前記取り囲み装置は、第２の表示ユニットを備える方法において、
表示操作命令を受け取るステップと、
前記受け取った表示操作命令に従って、少なくとも２つのアイコンの予め設定された系列に基づいて、前記アイコンを前記第１の表示ユニットおよび前記第２の表示ユニット上で連係して表示するステップと
を含み、
前記表示するステップでは、
前記第１の表示ユニットおよび第２の表示ユニットは、前記アイコンに対してユーザによって行われたスライド操作を検出し、
前記表示されるアイコンは、前記検出されたスライド操作の時間長またはスライド距離に対応して移動することを特徴とする方法。
【請求項２】
移動操作命令を受け取るステップと、
前記移動操作命令における移動方向を取得するステップと、
前記移動方向、および前記少なくとも２つのアイコンの前記予め設定された系列に基づいて、前記第１の表示ユニットおよび前記第２の表示ユニット上で前記アイコンの表示位置を移動させるステップと
をさらに含むことを特徴とする請求項１に記載の方法。
【請求項３】
前記第１の表示ユニット上の前記アイコンの移動の距離値は、前記第２の表示ユニット上の前記アイコンの移動の距離値と等しいことを特徴とする請求項２に記載の方法。
【請求項４】
前記移動操作命令は、前記第１の表示ユニットまたは前記第２の表示ユニット上のスライド操作が検出された後に生成される命令であることを特徴とする請求項２または３に記載の方法。
【請求項５】
前記デバイスは、機械的設定装置をさらに備え、前記移動操作命令は、前記機械的設定装置上の操作が検出された後に生成される命令であることを特徴とする請求項２または３に記載の方法。
【請求項６】
前記移動操作命令は、前記第２の表示ユニット上のターゲットアイコンを選択する操作が検出された後に生成される命令であり、前記移動操作命令は、前記ターゲットアイコンを含み、
前記方法は、前記移動操作命令における前記ターゲットアイコンを取得するステップをさらに含み、
前記第１の表示ユニットおよび前記第２の表示ユニット上で前記アイコンの表示位置を前記移動させるステップは、具体的には、
前記第１の表示ユニットおよび前記第２の表示ユニット上で前記アイコンの前記表示位置を移動させ、前記第１の表示ユニット上に前記ターゲットアイコンを表示するステップであることを特徴とする請求項２または３に記載の方法。
【請求項７】
切替え操作命令を受け取るステップと、
前記第１の表示ユニットおよび前記第２の表示ユニット上に現在表示されているアイコンを隠すステップと、
前記第１の表示ユニットおよび／または前記第２の表示ユニット上に時間を表示するステップと
をさらに含むことを特徴とする請求項１乃至６のいずれか一項に記載の方法。
【請求項８】
前記取り囲み装置は、第３の表示ユニットをさらに備え、前記第３の表示ユニットおよび前記第２の表示ユニットは、前記第１の表示ユニットの両側にそれぞれ配設され、
前記アイコンを前記第１の表示ユニットおよび前記第２の表示ユニット上で連係して表示するステップは、具体的には、
前記アイコンを前記第１の表示ユニット、前記第２の表示ユニット、および前記第３の表示ユニット上で連係して表示するステップであることを特徴とする請求項１乃至７のいずれか一項に記載の方法。
【請求項９】
ウェアラブルインテリジェントデバイスであって、第１の表示ユニット、取り囲み装置、および受信ユニットを備え、前記取り囲み装置は、取り囲む様式で前記デバイスを人体に固着するように構成され、前記取り囲み装置は、第２の表示ユニットを備え、
前記受信ユニットは、表示操作命令を受け取るように構成され、
前記第１の表示ユニットおよび前記第２の表示ユニットは、前記受け取った表示操作命令に従って、少なくとも２つのアイコンの予め設定された系列に基づいて、前記アイコンを連係して表示するように構成され、
前記第１の表示ユニットおよび第２の表示ユニットは、前記アイコンに対してユーザによって行われたスライド操作を検出し、前記表示されるアイコンは、前記検出されたスライド操作の時間長またはスライド距離に対応して移動することを特徴とするウェアラブルインテリジェントデバイス。
【請求項１０】
前記受信ユニットは、移動操作命令を受け取り、前記移動操作命令における移動方向を取得するようにさらに構成され、
前記第１の表示ユニットおよび前記第２の表示ユニットは、前記移動方向、および前記少なくとも２つのアイコンの前記予め設定された系列に基づいて、前記アイコンの表示位置を移動させるようにさらに構成されることを特徴とする請求項９に記載のデバイス。
【請求項１１】
前記第１の表示ユニット上の前記アイコンの移動の距離値は、前記第２の表示ユニット上の前記アイコンの移動の距離値と等しいことを特徴とする請求項１０に記載のデバイス。
【請求項１２】
前記移動操作命令は、前記第１の表示ユニットまたは前記第２の表示ユニット上のスライド操作が検出された後に生成される命令であることを特徴とする請求項１０または１１に記載のデバイス。
【請求項１３】
機械的設定装置をさらに備え、前記移動操作命令は、前記機械的設定装置上の操作が検出された後に生成される命令であることを特徴とする請求項１０または１１に記載のデバイス。
【請求項１４】
前記移動操作命令は、前記第２の表示ユニット上のターゲットアイコンを選択する操作が検出された後に生成される命令であり、前記移動操作命令は、前記ターゲットアイコンを含み、
前記第１の表示ユニットおよび前記第２の表示ユニットが前記アイコンの前記表示位置を移動させるように構成されることは、具体的には、前記第１の表示ユニットおよび前記第２の表示ユニットが前記アイコンの前記表示位置を移動させ、前記第１の表示ユニット上に前記ターゲットアイコンを表示するように構成されることであることを特徴とする請求項１０または１１に記載のデバイス。
【請求項１５】
前記受信ユニットは、切替え操作命令を受け取るようにさらに構成され、
前記第１の表示ユニットおよび前記第２の表示ユニットは、現在表示されているアイコンを隠すようにさらに構成され、
前記第１の表示ユニットおよび／または前記第２の表示ユニットは、時間を表示するようにさらに構成されることを特徴とする請求項９乃至１４のいずれか一項に記載のデバイス。
【発明の詳細な説明】
【技術分野】
【０００１】
本発明は、インテリジェントデバイス技術の分野、特に、ウェアラブルインテリジェントデバイス（wearable intelligent device）のアイコン表示方法および関連するデバイスに関する。
【背景技術】
【０００２】
マンマシン対話および音声インテリジェンスなどの技術の相次ぐブレークスルーにより、ウェアラブルインテリジェントデバイスが新しい市場動向を形成している。様々なタイプのウェアラブルインテリジェントデバイスが存在し、様々なタイプのウェアラブルインテリジェントデバイスの中でも、取り囲みウェアラブルインテリジェントデバイス（encircling wearable intelligent device）は取り外しが容易であり、軽量で扱いやすく、他の特徴も有するので、消費者の間で取り囲みウェアラブルインテリジェントデバイスは徐々に人気を得ている。
【０００３】
現在、ユーザの使用を容易にするために、取り囲みウェアラブルインテリジェントデバイスは、一般的に、表示装置を使用することによってユーザへいくつかのアイコンを表示する。たとえば、「電話」、「メッセージング」、および「電子メール」など複数のインテリジェント機能を有するアイコンが、スマートウォッチの表示スクリーン上に表示されることができ、それにより、ユーザが実現するのを必要とするインテリジェント機能をユーザが選択できるようになる。
【０００４】
しかしながら、取り囲みウェアラブルインテリジェントデバイスは、取り囲む様式でウェアラブルな特性を実現しているので、取り囲みウェアラブルインテリジェントデバイスに含まれる表示装置は、比較的限られたサイズを有し、表示できるアイコンの数量が極めて限られており、そのため、ユーザが必要とするアイコンをユーザが速やかに見つけることができない。したがって、ユーザ操作が過度になり、システム負荷が増大する。
【発明の概要】
【課題を解決するための手段】
【０００５】
技術的課題を解決するために、本発明の実施形態は、ウェアラブルインテリジェントデバイスのアイコン表示方法および関連するデバイスを提供して、表示され得るアイコンの数量を増大させ、それにより、システム負荷が過度なユーザ操作によって増大することを防止する。
【０００６】
これに鑑みて、技術的課題を解決する本発明の技術的解決策は、以下のようになる。
【０００７】
第１の態様によれば、本発明の実施形態は、ウェアラブルインテリジェントデバイスのアイコン表示方法を提供し、デバイスは、第１の表示ユニットおよび取り囲み装置を備え、取り囲み装置は、取り囲む様式でデバイスを人体に固着するように構成され、取り囲み装置は、第２の表示ユニットを備え、方法は、
表示操作命令を受け取るステップと、
少なくとも２つのアイコンの予め設定された系列に基づいて、アイコンを第１の表示ユニットおよび第２の表示ユニット上で連係して表示するステップと
を含む。
【０００８】
第１の態様の可能な実装様式において、方法は、
移動操作命令を受け取るステップと、
移動操作命令における移動方向を取得するステップと、
移動方向、および少なくとも２つのアイコンの予め設定された系列に基づいて、第１の表示ユニットおよび第２の表示ユニット上でアイコンの表示位置を移動させるステップと
をさらに含む。
【０００９】
第１の態様の第１の可能な実装様式を参照して、第１の態様の第２の可能な実装様式では、第１の表示ユニット上のアイコンの移動の距離値は、第２の表示ユニット上のアイコンの移動の距離値と等しい。
【００１０】
第１の態様の第１または第２の可能な実装様式を参照して、第１の態様の第３の可能な実装様式では、移動操作命令は、第１の表示ユニットまたは第２の表示ユニット上のスライド操作が検出された後に生成される命令である。
【００１１】
第１の態様の第１または第２の可能な実装様式を参照して、第１の態様の第４の可能な実装様式では、デバイスは、機械的設定装置をさらに含み、移動操作命令は、機械的設定装置上の操作が検出された後に生成される命令である。
【００１２】
第１の態様の第４の可能な実装様式を参照して、第１の態様の第５の可能な実装様式では、機械的設定装置は、デバイス上に配設される。
【００１３】
第１の態様の第４の可能な実装様式を参照して、第１の態様の第６の可能な実装様式では、機械的設定装置は、ワイヤレスネットワークを使用することによってデバイスに接続される。
【００１４】
第１の態様の第１または第２の可能な実装様式を参照して、第１の態様の第７の可能な実装様式では、移動操作命令は、第２の表示ユニット上のターゲットアイコンを選択する操作が検出された後に生成される命令であり、移動操作命令は、ターゲットアイコンを含み、
方法は、移動操作命令におけるターゲットアイコンを取得するステップをさらに含み、
第１の表示ユニットおよび第２の表示ユニット上でアイコンの表示位置を移動させるステップは、具体的には、
第１の表示ユニットおよび第２の表示ユニット上でアイコンの表示位置を移動させ、第１の表示ユニット上にターゲットアイコンを表示するステップである。
【００１５】
第１の態様、または第１の態様の第１乃至第７の可能な実装様式のいずれか１つを参照して、第１の態様の第８の可能な実装様式では、アイコンは、具体的には、操作メニューのメニューアイテムである。
【００１６】
第１の態様の第８の可能な実装様式を参照して、第１の態様の第９の可能な実装様式では、方法は、
選択操作命令を受け取るステップと、
選択操作命令における選択されたメニューアイテムを取得するステップと、
選択されたメニューアイテムの次レベルメニュー（next-level menu）を第１の表示ユニットおよび第２の表示ユニット上で連係して表示するステップと
をさらに含む。
【００１７】
第１の態様の第８または第９の可能な実装様式を参照して、第１の態様の第１０の可能な実装様式では、方法は、
戻り操作命令（return operation instruction）を受け取るステップと、
第１の表示ユニット上に現在表示されているメニューアイテムを取得するステップと、
取得されたメニューアイテムの前レベルメニュー（previous-level menu）を第１の表示ユニットおよび第２の表示ユニット上で連係して表示するステップと
をさらに含む。
【００１８】
第１の態様の第８、第９、または第１０の可能な実装様式を参照して、第１の態様の第１１の可能な実装様式では、方法は、
メインメニュー操作命令を受け取るステップと、
操作メニューのメインメニューを第１の表示ユニットおよび第２の表示ユニット上で連係して表示するステップと
をさらに含む。
【００１９】
第１の態様、または第１の態様の第１乃至第１１の可能な実装様式のいずれか１つを参照して、第１の態様の第１２の可能な実装様式では、方法は、
切替え操作命令を受け取るステップと、
第１の表示ユニットおよび第２の表示ユニット上に現在表示されているアイコンを隠すステップと、
第１の表示ユニットおよび／または第２の表示ユニット上に時間を表示するステップと
をさらに含む。
【００２０】
第１の態様、または第１の態様の第１乃至第１２の可能な実装様式のいずれか１つを参照して、第１の態様の第１３の可能な実装様式では、
取り囲み装置は、第３の表示ユニットをさらに備え、第３の表示ユニットおよび第２の表示ユニットは、第１の表示ユニットの両側にそれぞれ配設され、
アイコンを第１の表示ユニットおよび第２の表示ユニット上で連係して表示するステップは、具体的には、
アイコンを第１の表示ユニット、第２の表示ユニット、および第３の表示ユニット上で連係して表示するステップである。
【００２１】
第１の態様、または第１の態様の第１乃至第１３の可能な実装様式のいずれか１つを参照して、第１の態様の第１４の可能な実装様式では、第１の表示ユニットおよび第２の表示ユニットは、同じ表示装置に属する、または異なる表示装置に属する。
【００２２】
第２の態様によれば、本発明の実施形態は、ウェアラブルインテリジェントデバイスをさらに提供し、デバイスは、第１の表示ユニット、取り囲み装置、および受信ユニットを備え、取り囲み装置は、取り囲む様式でデバイスを人体に固着するように構成され、取り囲み装置は、第２の表示ユニットを備え、
受信ユニットは、表示操作命令を受け取るように構成され、
第１の表示ユニットおよび第２の表示ユニットは、少なくとも２つのアイコンの予め設定された系列に基づいて、アイコンを連係して表示するように構成される。
【００２３】
第２の態様の第１の可能な実装様式では、受信ユニットは、移動操作命令を受け取り、移動操作命令における移動方向を取得するようにさらに構成され、
第１の表示ユニットおよび第２の表示ユニットは、移動方向、および少なくとも２つのアイコンの予め設定された系列に基づいて、アイコンの表示位置を移動させるようにさらに構成される。
【００２４】
第２の態様の第１の可能な実装様式を参照して、第２の態様の第２の可能な実装様式では、第１の表示ユニット上のアイコンの移動の距離値は、第２の表示ユニット上のアイコンの移動の距離値と等しい。
【００２５】
第２の態様の第１または第２の可能な実装様式を参照して、第２の態様の第３の可能な実装様式では、移動操作命令は、第１の表示ユニットまたは第２の表示ユニット上のスライド操作が検出された後に生成される命令である。
【００２６】
第２の態様の第１または第２の可能な実装様式を参照して、第２の態様の第４の可能な実装様式では、デバイスは、機械的設定装置をさらに備え、移動操作命令は、機械的設定装置上の操作が検出された後に生成される命令である。
【００２７】
第２の態様の第４の可能な実装様式を参照して、第２の態様の第５の可能な実装様式では、機械的設定装置は、デバイス上に配設される。
【００２８】
第２の態様の第４の可能な実装様式を参照して、第２の態様の第６の可能な実装様式では、機械的設定装置は、ワイヤレスネットワークを使用することによってデバイスに接続される。
【００２９】
第２の態様の第１または第２の可能な実装様式を参照して、第２の態様の第７の可能な実装様式では、
移動操作命令は、第２の表示ユニット上のターゲットアイコンを選択する操作が検出された後に生成される命令であり、移動操作命令は、ターゲットアイコンを含み、
第１の表示ユニットおよび第２の表示ユニットが、アイコンの表示位置を移動させるように構成されることは、具体的には、第１の表示ユニットおよび第２の表示ユニットが、アイコンの表示位置を移動させ、第１の表示ユニット上にターゲットアイコンを表示するように構成されることである。
【００３０】
第２の態様、または第２の態様の第１乃至第７の可能な実装様式のいずれか１つを参照して、第２の態様の第８の可能な実装様式では、アイコンは、具体的には、操作メニューのメニューアイテムである。
【００３１】
第２の態様の第８の可能な実装様式を参照して、第２の態様の第９の可能な実装様式では、受信ユニットは、選択操作命令を受け取り、選択操作命令における選択されたメニューアイテムを取得するようにさらに構成され、
第１の表示ユニットおよび第２の表示ユニットは、選択されたメニューアイテムの次レベルメニューを連係して表示するようにさらに構成される。
【００３２】
第２の態様の第８または第９の可能な実装様式を参照して、第２の態様の第１０の可能な実装様式では、受信ユニットは、戻り操作命令を受け取り、第１の表示ユニット上に現在表示されているメニューアイテムを取得するようにさらに構成され、
第１の表示ユニットおよび第２の表示ユニットは、取得されたメニューアイテムの前レベルメニューを連係して表示するようにさらに構成される。
【００３３】
第２の態様の第８、第９、または第１０の可能な実装様式を参照して、第２の態様の第１１の可能な実装様式では、受信ユニットは、メインメニュー操作命令を受け取るようにさらに構成され、
第１の表示ユニットおよび第２の表示ユニットは、操作メニューのメインメニューを連係して表示するようにさらに構成される。
【００３４】
第２の態様、または第２の態様の第１乃至第１１の可能な実装様式のいずれか１つを参照して、第２の態様の第１２の可能な実装様式では、受信ユニットは、切替え操作命令を受け取るようにさらに構成され、
第１の表示ユニットおよび第２の表示ユニットは、現在表示されているアイコンを隠すようにさらに構成され、
第１の表示ユニットおよび／または第２の表示ユニットは、時間を表示するようにさらに構成される。
【００３５】
第２の態様、または第２の態様の第１乃至第１２の可能な実装様式のいずれか１つを参照して、第２の態様の第１３の可能な実装様式では、取り囲み装置は、第３の表示ユニットをさらに備え、第３の表示ユニットおよび第２の表示ユニットは、第１の表示ユニットの両側にそれぞれ配設され、
第１の表示ユニット、第２の表示ユニット、および第３の表示ユニットは、アイコンを連係して表示するように構成される。
【００３６】
第２の態様、または第２の態様の第１乃至第１３の可能な実装様式のいずれか１つを参照して、第２の態様の第１４の可能な実装様式では、第１の表示ユニットおよび第２の表示ユニットは、同じ表示装置に属する、または異なる表示装置に属する。
【００３７】
第３の態様によれば、本発明の実施形態は、ウェアラブルインテリジェントデバイスを提供し、デバイスは、第１の表示スクリーン、取り囲み装置、受信器、およびプロセッサを備え、取り囲み装置は、取り囲む様式でデバイスを人体に固着するように構成され、取り囲み装置は、第２の表示スクリーンを備え、
受信器は、表示操作命令を受け取るように構成され、
プロセッサは、少なくとも２つのアイコンの予め設定された系列に基づいて、アイコンを第１の表示スクリーンおよび第２の表示スクリーン上で連係して表示するように構成される。
【００３８】
第３の態様の第１の可能な実装様式では、受信器は、移動操作命令を受け取るようにさらに構成され、
プロセッサは、移動操作命令における移動方向を取得し、移動方向、および少なくとも２つのアイコンの予め設定された系列に基づいて、第１の表示スクリーンおよび第２の表示スクリーン上でアイコンの表示位置を移動させるようにさらに構成される。
【００３９】
第３の態様の第１の可能な実装様式を参照して、第３の態様の第２の可能な実装様式では、第１の表示スクリーン上のアイコンの移動の距離値は、第２の表示スクリーン上のアイコンの移動の距離値と等しい。
【００４０】
第３の態様の第１または第２の可能な実装様式を参照して、第３の態様の第３の可能な実装様式では、第１の表示スクリーンまたは第２の表示スクリーンは、タッチスクリーンであり、
移動操作命令は、タッチスクリーン上のスライド操作が検出された後に生成される命令である。
【００４１】
第３の態様の第１または第２の可能な実装様式を参照して、第３の態様の第４の可能な実装様式では、デバイスは、機械的設定装置をさらに備え、移動操作命令は、機械的設定装置上の操作が検出された後に生成される命令である。
【００４２】
第３の態様の第４の可能な実装様式を参照して、第３の態様の第５の可能な実装様式では、機械的設定装置は、デバイス上に配設される。
【００４３】
第３の態様の第４の可能な実装様式を参照して、第３の態様の第６の可能な実装様式では、機械的設定装置は、ワイヤレスネットワークを使用することによってデバイスに接続される。
【００４４】
第３の態様の第１または第２の可能な実装様式を参照して、第３の態様の第７の可能な実装様式では、第２の表示スクリーンは、タッチスクリーンであり、移動操作命令は、タッチスクリーン上のターゲットアイコンを選択する操作が検出された後に生成される命令であり、移動操作命令は、ターゲットアイコンを含み、
プロセッサは、移動操作命令におけるターゲットアイコンを取得するようにさらに構成され、
プロセッサが第１の表示スクリーンおよび第２の表示スクリーン上でアイコンの表示位置を移動させるように構成されることは、具体的には、プロセッサが第１の表示スクリーンおよび第２の表示スクリーン上でアイコンの表示位置を移動させ、第１の表示スクリーン上でターゲットアイコンを表示するように構成されることである。
【００４５】
第３の態様、または第３の態様の第１乃至第７の可能な実装様式のいずれか１つを参照して、第３の態様の第８の可能な実装様式では、アイコンは、具体的には、操作メニューのメニューアイテムである。
【００４６】
第３の態様の第８の可能な実装様式を参照して、第３の態様の第９の可能な実装様式では、受信器は、選択操作命令を受け取るようにさらに構成され、
プロセッサは、選択操作命令における選択されたメニューアイテムを取得し、選択されたメニューアイテムの次レベルメニューを第１の表示スクリーンおよび第２の表示スクリーン上で連係して表示するようにさらに構成される。
【００４７】
第３の態様の第８または第９の可能な実装様式を参照して、第３の態様の第１０の可能な実装様式では、受信器は、戻り操作命令を受け取るようにさらに構成され、
プロセッサは、第１の表示スクリーン上に現在表示されているメニューアイテムを取得し、取得されたメニューアイテムの前レベルメニューを第１の表示スクリーンおよび第２の表示スクリーン上で連係して表示するようにさらに構成される。
【００４８】
第３の態様の第８、第９、または第１０の可能な実装様式を参照して、第３の態様の第１１の可能な実装様式では、受信器は、メインメニュー操作命令を受け取るようにさらに構成され、
プロセッサは、操作メニューのメインメニューを第１の表示スクリーンおよび第２の表示スクリーン上で連係して表示するようにさらに構成される。
【００４９】
第３の態様、または第３の態様の第１乃至第１１の可能な実装様式のいずれか１つを参照して、第３の態様の第１２の可能な実装様式では、受信器は、切替え操作命令を受け取るようにさらに構成され、
プロセッサは、第１の表示スクリーンおよび第２の表示スクリーン上に現在表示されているアイコンを隠し、第１の表示スクリーンおよび／または第２の表示スクリーン上に時間を表示するようにさらに構成される。
【００５０】
第３の態様、または第３の態様の第１乃至第１２の可能な実装様式のいずれか１つを参照して、第３の態様の第１３の可能な実装様式では、取り囲み装置は、第３の表示スクリーンをさらに備え、第３の表示スクリーンおよび第２の表示スクリーンは、第１の表示スクリーンの両側にそれぞれ配設され、
プロセッサがアイコンを第１の表示スクリーンおよび第２の表示スクリーン上で連係して表示するように構成されることは、具体的には、プロセッサがアイコンを第１の表示スクリーン、第２の表示スクリーン、および第３の表示スクリーン上で連係して表示するように構成されることである。
【００５１】
第３の態様、または第３の態様の第１乃至第１３の可能な実装様式のいずれか１つを参照して、第３の態様の第１４の可能な実装様式では、第１の表示スクリーンおよび第２の表示スクリーンは、同じ表示装置に属する、または異なる表示装置に属する。
【００５２】
上記の技術的解決策から理解され得るように、本発明の実施形態では、第１の表示ユニットに加えて、追加の表示ユニット、すなわち第２の表示ユニットが、取り囲み装置のスペースを使用することによってさらに配設され、アイコンが、第１の表示ユニットおよび第２の表示ユニットを使用することによって連係して表示される。実施形態において、理解され得るように、表示装置の表示領域が巧みに増大され、そのような増大はウェアラブルインテリジェントデバイスの軽さおよび扱いやすさの特徴に影響せず、表示されるアイコンの数量の増大が実現され、ユーザが必要とするアイコンをユーザによって見つける速度が改善され、それにより、システム負荷が過度なユーザ操作によって増大することを防止する。
【図面の簡単な説明】
【００５３】
【図１】本発明の実施形態による方法の第１の実施形態の概略フロー図である。
【図２】メニューアイテムを第１の表示ユニットおよび第２の表示ユニット上で連係して表示する概略図である。
【図３】メニューアイテムを第１の表示ユニット、第２の表示ユニット、および第３の表示ユニット上で連係して表示する概略図である。
【図４】本発明の実施形態による方法の第２の実施形態の概略フロー図である。
【図５】メニューアイテムが移動される前に第１の表示ユニットおよび第２の表示ユニット上で連係して表示されるメニューアイテムの概略図である。
【図６】メニューアイテムが移動された後に第１の表示ユニットおよび第２の表示ユニット上で連係して表示されるメニューアイテムの概略図である。
【図７】本発明の実施形態による方法の第３の実施形態の概略フロー図である。
【図８】連絡先サブメニューアイテム（contact submenu item）を第１の表示ユニットおよび第２の表示ユニット上で連係して表示する概略図である。
【図９】本発明の実施形態による方法の第４の実施形態の概略フロー図である。
【図１０】本発明の実施形態によるデバイスの第１の実施形態の概略構造図である。
【図１１】本発明の実施形態によるデバイスの第２の実施形態の概略構造図である。
【図１２】本発明の実施形態によるデバイスの第３の実施形態の概略構造図である。
【図１３】本発明の実施形態によるデバイスの第４の実施形態の概略構造図である。
【図１４】本発明の実施形態によるデバイスの第５の実施形態の概略構造図である。
【図１５】本発明の実施形態によるデバイスの第６の実施形態の概略構造図である。
【図１６】本発明の実施形態によるデバイスの第７の実施形態の概略構造図である。
【図１７】本発明の実施形態によるデバイスの第８の実施形態の概略構造図である。
【発明を実施するための形態】
【００５４】
ウェアラブルインテリジェントデバイスは、人体に着用されることができるインテリジェントデバイスである。マンマシン対話および音声インテリジェンスなどの技術の相次ぐブレークスルーにより、ウェアラブルインテリジェントデバイスが新しい市場動向を形成している。
【００５５】
様々なタイプのウェアラブルインテリジェントデバイスが存在し、様々なタイプのウェアラブルインテリジェントデバイスの中でも、取り囲みウェアラブルインテリジェントデバイスは取り外しが容易であり、軽量で扱いやすく、他の特徴も有するので、消費者の間で取り囲みウェアラブルインテリジェントデバイスは徐々に人気を得ている。取り囲みウェアラブルインテリジェントデバイスは、取り囲む様式で人体の部分（たとえば、腕、手首、首、脚、または足首などの部分）に着用されるインテリジェントデバイスを指す。たとえば、スマートウォッチ、スマートバンド、およびスマートヘッドバンドは、一般的な取り囲みウェアラブルインテリジェントデバイスである。ウェアラブルな特性は、取り囲む様式で実現されるので、取り囲みウェアラブルインテリジェントデバイスは、取り囲む機能を実現できる取り囲み装置を含み、たとえば、スマートウォッチが取り囲み時計ストラップを含む。
【００５６】
現在、ユーザの使用を容易にするために、取り囲みウェアラブルインテリジェントデバイスは、一般的に、表示装置を使用することによってアイコンをユーザへ表示する。たとえば、「電話」、「メッセージング」、および「電子メール」など複数のインテリジェント機能を有するアイコンが、スマートウォッチの表示スクリーン上に表示されることができ、それにより、ユーザが実現するのを必要とするインテリジェント機能をユーザが選択できるようになる。
【００５７】
しかしながら、取り囲みウェアラブルインテリジェントデバイスは、取り囲む様式でウェアラブルな特性を実現しているので、取り囲みウェアラブルインテリジェントデバイスに含まれる表示装置は、比較的限られたサイズを有している。これは、表示装置が過度に大きいと、取り囲みウェアラブルインテリジェントデバイスの軽さおよび扱いやすさの特徴が必然的に影響を受けて、実用性が低くなるからである。比較的限られたサイズのため、表示装置は、表示できるアイコンの数量が極めて限られており、そのため、ユーザが必要とするアイコンをユーザが速やかに見つけることができない。たとえば、現在のスマートウォッチは、一般的に表示スクリーン上に１つだけのアイコンを表示し、ユーザは、ユーザが必要とするアイコンを見つけ出すために、表示スクリーン上に表示されているアイコンを頻繁に切り替える必要がある。したがって、ユーザ操作が過度になり、システム負荷が増大する。しかしながら、表示スクリーンに表示されるアイコンの数量が増大された場合、各アイコンの表示領域が極めて小さくなり、結果として、ユーザは誤操作を行う可能性が高くなる。
【００５８】
本発明の実施形態では、ウェアラブルインテリジェントデバイスのアイコン表示方法および関連するデバイスが、取り囲みウェアラブルインテリジェントデバイス上で表示され得るアイコンの数量を増大させるように提供され、それにより、システム負荷が過度なユーザ操作によって増大することを防止する。
【００５９】
以下では、本発明の実施形態において、添付図面を参照して、本発明の実施形態における技術的解決策を明確に完全に説明する。明らかに、説明される実施形態は、本発明の実施形態の一部に過ぎず全部ではない。創作的な取り組み無しに本発明の実施形態に基づいて当業者によって得られるすべての他の実施形態は、本発明の保護範囲に入るものとする。
【００６０】
本発明の明細書、特許請求の範囲、および添付図面において、用語「第１」、「第２」、「第３」、および「第４」などは、同様の対象を区別することを意図されているが、必ずしも特定の順番または系列を説明することを意図されていない。そのような方法で呼ばれるデータは適切な条件で交換可能であり、したがって、本明細書に説明される実施形態は、本明細書に図示または説明される内容の系列以外の系列で実現され得る。さらに、用語「含む」、「含有する」および任意の他の変形形態は、非排他的包含を含むものであり、たとえば、ステップまたはユニットの列挙を含むプロセス、方法、システム、製品、またはデバイスは、それらのステップまたはユニットに必ずしも限定されず、そのようなプロセス、方法、システム、製品、またはデバイスに明示的に列挙されていないまたは固有でない他のステップまたはユニットを含み得る。
【００６１】
図１を参照すると、本発明の実施形態は、ウェアラブルインテリジェントデバイスのアイコン表示方法の第１の実施形態を提供している。図２に示されるように、この実施形態におけるウェアラブルインテリジェントデバイスは、第１の表示ユニット２０１および取り囲み装置２０２を含む。取り囲み装置２０２は、第２の表示ユニット２０２１を含む。図２は、この実施形態におけるウェアラブルインテリジェントデバイスの縦に拡大された図であることに留意されたい。
【００６２】
この実施形態における取り囲み装置２０２は、取り囲む機能を提供するように構成され、具体的には、この実施形態におけるウェアラブルインテリジェントデバイスを人体に取り囲む様式で固着する、たとえば、この実施形態におけるウェアラブルインテリジェントデバイスを、腕、手首、首、脚、または足首などの部分に取り囲む様式で固着するように構成される。
【００６３】
この実施形態における取り囲み装置２０２は、第２の表示ユニット２０２１のみを含んでもよく、この場合、取り囲む機能は、第２の表示ユニット２０２１によって完全に提供されることに留意されたい。あるいは、第２の表示ユニット２０２１に加えて、この実施形態における取り囲み装置２０２は、固着装置２０２２をさらに含んでもよく、この場合、第２の表示ユニット２０２１および固着装置２０２２は、取り囲む機能を連係して提供する。固着装置２０２２は、ロープ状の物体、ストラップ状の物体（たとえば、革もしくは布のバンド）、またはリング状の物体などであり得る。この場合、第２の表示ユニット２０２１は固着装置２０２２上に配設されてもよく、または第２の表示ユニット２０２１の端部が固着装置２０２２の端部に接続される。
【００６４】
この実施形態は、具体的には以下のステップを含む。
【００６５】
Ｓ１０１：表示操作命令を受け取る。
【００６６】
この実施形態における表示操作命令は、アイコンに対してユーザによって行われた表示操作が検出された後に生成される命令とすることができる。たとえば、ユーザの電源オン操作またはロック解除操作が検出された場合、またはユーザによるアプリケーションを終了する操作が検出された後に、表示操作命令が生成される。
【００６７】
あるいは、この実施形態における表示操作命令は、アイコンを表示する予め設定された条件が満たされたことが検出された後に生成される命令とすることができる。たとえば、表示操作命令は、予め設定された時間内にユーザがこの実施形態におけるウェアラブルインテリジェントデバイスに対していかなる操作も行っていないことが検出された後に生成される。
【００６８】
Ｓ１０２：少なくとも２つのアイコンの予め設定された系列に基づいて、アイコンを第１の表示ユニット２０１および第２の表示ユニット２０２１上で連係して表示する。
【００６９】
この実施形態における２つの表示ユニット（第１の表示ユニット２０１および第２の表示ユニット２０２１）上でアイコンを連係して表示するということは、２つの表示ユニットの位置関係に従って、２つの表示ユニットが別々に、１または複数のアイコンの一部を表示し、２つの表示ユニットが一緒にされると、１または複数の完全なアイコンが表示されていることを意味する。
【００７０】
本発明のこの実施形態で説明されている少なくとも２つのアイコンは、機能アイコンであってよく、対応する機能は、アプリケーションアイコンおよびショートカットアイコンなどのアイコンに対して選択操作を行うことによって実現されることが可能であり、または、少なくとも２つのアイコンは、識別アイコン、すなわち単に識別子として機能するアイコンであってもよい。当然ながら、本発明のこの実施形態におけるアイコンは別の形態であってもよく、本発明のこの実施形態はそれに制限を課すものではない。
【００７１】
本発明のこの実施形態で説明されている少なくとも２つのアイコンは、独立したアイコンであってもよく、または特定の関連付けを有するアイコンであってもよい。たとえば、任意選択の様式で、本発明のこの実施形態におけるアイコンは、操作メニューのメニューアイテムである。たとえば、図２に示されるように、連絡先メニューアイテム（contact menu item）および通話記録メニューアイテム（call record menu item）が、第２の表示ユニット２０２１上に表示され、ブラウザメニューアイテムが、第１の表示ユニット２０１上に表示される。実際、連絡先メニューアイテム、通話記録メニューアイテム、およびブラウザメニューアイテムは、操作メニューのメニューアイテムである。
【００７２】
この実施形態における２つの表示ユニット上でアイコンを連係して表示することは、具体的には、少なくとも２つのアイコンの予め設定された系列に従って、アイコンを連係して表示することである。たとえば、アイコンが具体的には操作メニューのメニューアイテムであり、操作メニューのメニューアイテムの予め設定された系列が、図２に示されるように、通話記録メニューアイテム、連絡先メニューアイテム、ブラウザメニューアイテムであるとき、上記３つのメニューアイテムは、上から下への系列で２つの表示ユニット上で順に表示される。
【００７３】
この実施形態で説明されている少なくとも２つのアイコンの数量が、この場合に第１の表示ユニット２０１および第２の表示ユニット２０２１上で連係して表示されるアイコンの数量に限定されないことは理解され得る。実際、現在表示されているアイコンの数量は、第１の表示ユニット２０１および第２の表示ユニット２０２１の表示領域に応じて設定され得る。好ましい様式では、第１の表示ユニット２０１上に１つだけのアイコンを表示している。
【００７４】
上記の技術的解決策から理解され得るように、この実施形態では、第１の表示ユニット２０１に加えて、追加の表示ユニット、すなわち第２の表示ユニット２０２１が、取り囲み装置のスペースを使用することによってさらに配設され、アイコンが、第１の表示ユニット２０１および第２の表示ユニット２０２１を使用することによって連係して表示される。理解され得るように、この実施形態において、表示装置の表示領域が巧みに増大され、そのような増大はウェアラブルインテリジェントデバイスの軽さおよび扱いやすさの特徴に影響せず、表示されるアイコンの数量の増大が実現され、ユーザが必要とするアイコンをユーザによって見つける速度が改善され、それにより、システム負荷が過度なユーザ操作によって増大することを防止する。
【００７５】
この実施形態におけるウェアラブルインテリジェントデバイスは、取り囲む様式で人体の部分（たとえば、腕、手首、首、脚、または足首などの部分）に着用されるインテリジェントデバイス、たとえば、スマートウォッチ、スマートバンド、またはスマートヘッドバンドなどであり得る。この実施形態は、この実施形態におけるウェアラブルインテリジェントデバイスによって実行されることができ、具体的には、ウェアラブルインテリジェントデバイスに含まれる処理ユニットによって実行されることができる。
【００７６】
この実施形態では、第１の表示ユニット２０１および第２の表示ユニット２０２１は、同じ表示装置に属することができる。この場合、第１の表示ユニット２０１および第２の表示ユニット２０２１が属する表示装置は、図２に示されている変則的な形状の表示装置であってよく、または当然ながら、通常の形状の表示装置であってもよく、本発明のこの実施形態はそれに制限を課すものではない。
【００７７】
あるいは、第１の表示ユニット２０１と第２の表示ユニット２０２１は、異なる装置に属してもよい。この場合、図２に示されるように、第１の表示ユニット２０１が属する表示装置は、第２の表示ユニット２０２１が属する表示装置に接続され、２つの表示装置は、具体的にはインターフェースを使用することによって接続されることができ、したがって、データ交換が２つの表示装置の間で行われることが可能である。当然ながら、第１の表示ユニット２０１が属する表示装置は、第２の表示ユニット２０２１が属する表示装置に接続されなくてもよく、本発明のこの実施形態はそれに制限を課すものではない。
【００７８】
本発明のこの実施形態では、第１の表示ユニット２０１と第２の表示ユニット２０２１の両方は、ＬＥＤ、Ｅ＿ｌｉｎｋ、ＯＬＥＤ、またはＬＣＤなどの材料を用いて構成され得る。コストを考慮して、本発明のこの実施形態における第２の表示ユニット２０２１は、コスト効率の良い材料、たとえば、ＬＥＤドットマトリクスを使用することができる。あるいは、第２の表示ユニット２０２１は、表示機能のみを有してもよく、タッチスクリーン機能を有しない。より人間工学設計原理に適合して、本発明のこの実施形態における第２の表示ユニット２０２１は弧状にされてもよい。この場合、第２の表示ユニット２０２１は、Ｅ＿ｌｉｎｋまたはＯＬＥＤなどの可撓性材料を使用することができる。
【００７９】
本発明のこの実施形態では、第１の表示ユニット２０１および第２の表示ユニット２０２１だけが、アイコンを連係して表示するのではなく、より多くの表示ユニットがアイコンを連係して表示するように配設されてもよい。たとえば、図３に示されるように、第２の表示ユニット２０２１に加えて、本発明のこの実施形態における取り囲み装置２０２が、第３の表示ユニット２０２３をさらに含むことができる。第２の表示ユニット２０２１および第３の表示ユニット２０２３は、第１の表示ユニット２０１の両側にそれぞれ配設される。したがって、この実施形態のステップＳ１０２で、具体的には、第１の表示ユニット２０１、第２の表示ユニット２０２１、および第３の表示ユニット２０２３上で、少なくとも２つのアイコンの予め設定された系列に基づいて、アイコンが連係して表示される。たとえば、図３に示されるように、アイコンが具体的には操作メニューのメニューアイテムであるとき、通話記録メニューアイテム、連絡先メニューアイテム、ブラウザメニューアイテム、電子メールメニューアイテム、およびワイヤレスネットワークメニューアイテムが、第１の表示ユニット２０１、第２の表示ユニット２０２１、および第３の表示ユニット２０２３上で連係して表示される。
【００８０】
この場合、取り囲み装置２０２は、第２の表示ユニット２０２１および第３の表示ユニット２０２３のみを含んでもよく、この場合、取り囲む機能は、第２の表示ユニット２０２１および第３の表示ユニット２０２３によって完全に提供されることに留意されたい。あるいは、第２の表示ユニット２０２１および第３の表示ユニット２０２３に加えて、この実施形態における取り囲み装置２０２は、固着装置２０２２をさらに含んでもよく、この場合、第２の表示ユニット２０２１、第３の表示ユニット２０２３、および固着装置２０２２は、取り囲む機能を連係して提供する。この場合、第３の表示ユニット２０２３は固着装置２０２２上に配設されてもよく、または第３の表示ユニット２０２３の端部が固着装置２０２２の端部に接続される。また、第１の表示ユニット２０１、第２の表示ユニット２０２１、および第３の表示ユニット２０２３は、同じ表示装置に属してもよく、またはそれぞれ異なる表示装置に属してもよい。コストを考慮して、本発明のこの実施形態における第３の表示ユニット２０２３は、コスト効率の良い材料を使用することができる。あるいは、第３の表示ユニット２０２３は、表示機能のみを有してもよく、タッチスクリーン機能を有しない。より人間工学設計原理に適合して、本発明のこの実施形態における第３の表示ユニット２０２３は弧状にされてもよい。この場合、第３の表示ユニット２０２３は、可撓性材料を使用することができる。
【００８１】
この実施形態では、２つの表示ユニットを使用することによってアイコンを連係して表示することが具体的に説明されている。加えて、本発明のこの実施形態は、表示されたアイコンに対してさらなる操作を行うプロセスをさらに提供する。たとえば、本発明のこの実施形態では、表示されたアイコンを移動させる操作がさらに行われてよく、以下では、特定の例を使用することによって、アイコンを移動させる操作を行うプロセスを説明する。
【００８２】
図４を参照すると、本発明の実施形態は、ウェアラブルインテリジェントデバイスのアイコン表示方法の第２の実施形態を提供している。この実施形態のより良い説明のために、この実施形態は、図２に示されているウェアラブルインテリジェントデバイスを例として使用することによって説明されており、すなわち、この実施形態におけるウェアラブルインテリジェントデバイスは、第１の表示ユニット２０１および取り囲み装置２０２を含み、取り囲み装置２０２は、第２の表示ユニット２０２１および固着装置２０２２を含む。
【００８３】
この実施形態は、具体的には以下のステップを含む。
【００８４】
Ｓ４０１：表示操作命令を受け取る。
【００８５】
Ｓ４０２：少なくとも２つのアイコンの予め設定された系列に基づいて、アイコンを第１の表示ユニット２０１および第２の表示ユニット２０２１上で連係して表示する。
【００８６】
この実施形態におけるアイコンが、具体的には操作メニューのメニューアイテムである場合。このステップの後に、操作メニューのメニューアイテムが、図２に示されるように、第１の表示ユニット２０１および第２の表示ユニット２０２１上で連係して表示される。
【００８７】
ステップＳ４０１およびステップＳ４０２は、方法の第１の実施形態におけるステップＳ１０１およびステップＳ１０２と同様である。関連する情報については、ステップＳ１０１およびステップＳ１０２を参照し、詳細は本明細書で再度説明されない。
【００８８】
Ｓ４０３：移動操作命令を受け取る。
【００８９】
この実施形態における移動操作命令は、アイコンに対してユーザによって行われた移動操作が検出された後に生成される命令とすることができる。
【００９０】
たとえば、この実施形態における移動操作命令は、第１の表示ユニット２０１または第２の表示ユニット２０２１上のスライド操作が検出された後に生成される命令とすることができる。第１の表示ユニット２０１と第２の表示ユニット２０２１の両方がタッチスクリーン機能を有し、両方の表示ユニットがユーザのスライド操作に応答できる場合、ユーザが２つの表示ユニットのいずれかの表示ユニットに対してスライド操作を行ったこと、または２つの表示ユニットに対してスライド操作を同時に行ったことが検出された後に、移動操作命令が生成される。第１の表示ユニット２０１のみがタッチスクリーン機能を有し、第２の表示ユニット２０２１がタッチスクリーン機能を有しない、またはシステム設定によって第２の表示ユニット２０２１がユーザのスライド操作に応答することができないとすると、この場合、ユーザが第１の表示ユニット２０１に対してスライド操作を行ったことが検出された後に、移動操作命令が生成される。
【００９１】
この実施形態における取り囲み装置２０２が第３の表示ユニット２０２３をさらに含む場合、移動操作命令は、第１の表示ユニット２０１、第２の表示ユニット２０２１、および第３の表示ユニット２０２３のいずれかの表示ユニット上のスライド操作が検出された後に生成される命令とすることができる。
【００９２】
スライド操作の他に、この実施形態における移動操作命令は、あるいは別の形態の操作が検出された後に生成される命令であってもよい。たとえば、移動操作命令は、第２の表示ユニット２０２１上のターゲットアイコンを選択する操作が検出された後に生成される命令とすることができ、移動操作命令は、ターゲットアイコンを含む。ターゲットアイコンをユーザによって選択することは、ユーザがターゲットアイコンを第２の表示ユニット２０２１から第１の表示ユニット２０１へ移動させるよう意図することを示す。
【００９３】
あるいは、この実施形態におけるウェアラブルインテリジェントデバイスは、機械的設定装置をさらに含み、移動操作命令は、機械的設定装置に対する操作が検出された後に生成される命令とすることができる。たとえば、機械的設定装置は機械的ボタンとすることができ、異なる機械的ボタンが異なる移動操作にそれぞれ対応するように設定され得る。たとえば、機械的ボタンが上向きの移動および下向きの移動にそれぞれ対応するように設定される。あるいは、機械的ボタンの異なる位置が、異なる移動操作に対応するように設定されてもよく、または異なる強さおよび異なる方向で機械的ボタンを押圧することが、異なる移動操作に対応するように設定されてもよい。別の例として、機械的設定装置は、機械的レバーであってもよく、機械的レバーが異なる位置へシフトされることが、それぞれ異なる移動操作に対応する。当然ながら、機械的ボタンおよび機械的レバーの他に、本発明のこの実施形態における機械的設定装置は、設定操作を受け取る能力のみを要する別の形態の機械的装置であってもよい。また、本発明のこの実施形態における機械的設定装置は、機械的設定装置の既存の機械的装置であってよく、または新しく追加された機械的装置であってもよく、本発明のこの実施形態はそれに制限を課すものではない。
【００９４】
以下では、上記の機械的設定装置が配設される位置を説明する。上記の機械的設定装置は、本発明のこの実施形態におけるウェアラブルインテリジェントデバイス上に配設されることができ、たとえば、上記の機械的設定装置は、第１の表示ユニット２０１または第２の表示ユニット２０２１上に配設される。たとえば、ウェアラブルインテリジェントデバイスがスマートウォッチであるとき、機械的ボタンまたは機械的レバーは時計文字盤の側面に配設され得る。上記の機械的設定装置は、本発明のこの実施形態におけるウェアラブルインテリジェントデバイス上に配設されないこともあり、すなわち、上記の機械的設定装置は、ウェアラブルインテリジェントデバイスに物理的に接続されない。この場合、機械的設定装置は、ワイヤレスネットワークを使用することによってウェアラブルインテリジェントデバイスに接続され得る。
【００９５】
Ｓ４０４：移動操作命令における移動方向を取得する。
【００９６】
移動操作命令は、アイコンを移動する移動方向を含む。この実施形態におけるアイコンが、具体的には、図５に示されるように操作メニューのメニューアイテムである場合、ユーザが下向きのスライド操作を行ったこと、または下向きに機械的ボタンを押圧したことが検出された後、下向きの移動方向を有する移動操作命令が生成され、それは、メニューアイテムが下向きに移動される必要があることを示す。
【００９７】
Ｓ４０５：ステップＳ４０４で取得された移動方向、および少なくとも２つのアイコンの予め設定された系列に基づいて、第１の表示ユニット２０１および第２の表示ユニット２０２１上でアイコンの表示位置を移動させる。
【００９８】
このステップにおける第１の表示ユニット２０１および第２の表示ユニット２０２１上のアイコンの表示位置の移動は、実際にリンク様式（linkage manner）である。
【００９９】
好ましい様式では、第１の表示ユニット２０１上のアイコンの移動の距離値は、第２の表示ユニット２０２１上のアイコンの移動の距離値と等しい。当然ながら、第１の表示ユニット２０１と第２の表示ユニット２０２１は、表示ユニットサイズおよび形状が異なることがあるので、２つの表示ユニット上のアイコンの移動の距離値は異なることがあり、本発明のこの実施形態はそれに制限を課すものではない。
【０１００】
以下では、アイコンが具体的には操作メニューのメニューアイテムである例を使用することによって、このステップを具体的に説明する。操作メニューのメニューアイテムの予め設定された系列が、通話記録メニューアイテム、連絡先メニューアイテム、ブラウザメニューアイテム、電子メールメニューアイテム、ワイヤレスネットワークメニューアイテムである場合、図５に示されるように、ユーザがスライド操作を行う前に、通話記録メニューアイテムおよび連絡先メニューアイテムが第２の表示ユニット２０２１上に表示され、ブラウザメニューアイテムが第１の表示ユニット２０１上に表示されている。
【０１０１】
ステップＳ４０３で取得された移動方向が下向きである場合、通話記録メニューアイテム、連絡先メニューアイテム、ブラウザメニューアイテム、電子メールメニューアイテム、およびワイヤレスネットワークメニューアイテムは、このステップの上記の予め設定された系列に従って下向きに移動される。この場合、図６に示されるように、ブラウザメニューアイテムは、第１の表示ユニット２０１の外に移動され、連絡先メニューアイテムは、第２の表示ユニット２０２１から第１の表示ユニット２０１に移動され、ワイヤレスネットワークメニューアイテムは、表示されていない領域から第２の表示ユニット２０２１に移動される。したがって、このステップの後に、連絡先メニューアイテムが第１の表示ユニット２０１上に表示され、通話記録メニューアイテムおよびワイヤレスネットワークメニューアイテムが第２の表示ユニット２０２１上に表示される。
【０１０２】
このステップの特定の実装において、第１の表示ユニット２０１および第２の表示ユニット２０２１上のアイコンの表示されることになる位置は、取得された移動方向およびアイコンの予め設定された系列に従って計算されることができ、アイコンは、計算によって得られた表示されることになる位置に従って再配列されることができることに留意されたい。
【０１０３】
この実施形態では、移動操作命令におけるパラメータ値は、ステップＳ４０４でさらに取得されることができ、この場合、第１の表示ユニット２０１または第２の表示ユニット２０２１上のアイコンの移動の距離値が、取得されたパラメータ値に対応している。たとえば、パラメータ値は、検出されたスライド操作の時間長またはスライド距離などであり得る。したがって、検出されたスライド操作のより長い時間またはより長いスライド距離が、アイコンのより大きい最終移動距離を示す。
【０１０４】
この実施形態では、移動操作命令が、第２の表示ユニット２０２１上のターゲットアイコンを選択する操作が検出された後に生成される命令である場合、この実施形態は、移動操作命令におけるターゲットアイコンを取得することをさらに含むことができ、ステップＳ４０５は、具体的には、ステップＳ４０４で取得された移動方向、および少なくとも２つのアイコンの予め設定された系列に基づいて、第１の表示ユニット２０１および第２の表示ユニット２０２１上のアイコンの表示位置を移動させることであり、この場合、ターゲットアイコンは第１の表示ユニット２０１上に表示される。
【０１０５】
上記の技術的解決策から理解され得るように、この実施形態は、第１の表示ユニット２０１および第２の表示ユニット２０２１を使用することによってアイコンが連係して表示された後、第１の表示ユニット２０１と第２の表示ユニット２０２１とに表示されたアイコンの間にリンクが実現され得ることを主に説明している。
【０１０６】
本発明のこの実施形態では、アイコンが具体的には操作メニューのメニューアイテムであるとき、メニューアイテムの次レベルメニューに進むこと、前レベルメニューに戻ること、およびメインメニューに戻ることの操作プロセスのうちの少なくとも１つが、特定の操作によってさらに実行され得る。以下では、実施形態を使用して、上記の３つの操作プロセスが同時に実行される状況を説明する。
【０１０７】
図７を参照すると、本発明の実施形態は、ウェアラブルインテリジェントデバイスのアイコン表示方法の第３の実施形態を提供している。この実施形態のより良い説明のために、この実施形態は、図２に示されているウェアラブルインテリジェントデバイスを例として使用することによって説明されており、すなわち、この実施形態におけるウェアラブルインテリジェントデバイスは、第１の表示ユニット２０１および取り囲み装置２０２を含み、取り囲み装置２０２は、第２の表示ユニット２０２１および固着装置２０２２を含む。加えて、この実施形態では、アイコンが具体的には操作メニューのメニューアイテムである。
【０１０８】
この実施形態は、具体的には以下のステップを含む。
【０１０９】
Ｓ７０１：表示操作命令を受け取る。
【０１１０】
Ｓ７０２：操作メニューの少なくとも２つのメニューアイテムの予め設定された系列に基づいて、操作メニューのメニューアイテムを第１の表示ユニット２０１および第２の表示ユニット２０２１上で連係して表示する。
【０１１１】
ステップＳ７０１およびステップＳ７０２は、方法の第１の実施形態におけるステップＳ１０１およびステップＳ１０２と同様である。関連する情報については、ステップＳ１０１およびステップＳ１０２を参照し、詳細は本明細書で再度説明されない。
【０１１２】
Ｓ７０３：選択操作命令を受け取る。
【０１１３】
この実施形態における選択操作命令は、第１の表示ユニット２０１または第２の表示ユニット２０２１上のメニューアイテム上での選択操作が検出された後に生成される命令とすることができる。選択操作は、タップ、ダブルタップ、タッチアンドホールド（touch & hold）、または特定の方向のスライドなどの操作であってよく、本発明のこの実施形態はそれに制限を課すものではない。
【０１１４】
第１の表示ユニット２０１と第２の表示ユニット２０２１の両方がタッチスクリーン機能を有し、両方の表示ユニットがユーザの選択操作に応答できる場合、ユーザが２つの表示ユニットのいずれかの表示ユニットに対して選択操作を行ったこと、または２つの表示ユニットに対して選択操作を同時に行ったことが検出された後に、選択操作命令が生成される。第１の表示ユニット２０１のみがタッチスクリーン機能を有し、第２の表示ユニット２０２１がタッチスクリーン機能を有しない、またはシステム設定によって第２の表示ユニット２０２１がユーザの選択操作に応答することができないとすると、この場合、ユーザが第１の表示ユニット２０１に対して選択操作を行ったことが検出された後に、選択操作命令が生成される。
【０１１５】
この実施形態では、ユーザの誤操作を回避する目的を考慮して、第１の表示ユニット２０１はさらに、選択されるべき領域として設定されることができ、１つだけのメニューアイテムが第１の表示ユニット２０１上に表示され、選択操作命令は、表示ユニット２０１上のメニューアイテム上での選択操作が検出された後にのみ生成される。
【０１１６】
Ｓ７０４：選択操作命令における選択されたメニューアイテムを取得する。
【０１１７】
選択操作命令は、選択されたメニューアイテムを含む。実際、メニューアイテムに対してユーザによって行われた選択操作が検出された後、選択されたメニューアイテムがその選択されたメニューアイテムであり、選択されたメニューアイテムを含む選択操作命令が生成され、それは、ユーザがメニューアイテムを選択したことを示す。選択されたメニューアイテムは、メニューアイテムの識別子によって表されることができる。
【０１１８】
Ｓ７０５：選択されたメニューアイテムの次レベルメニューを第１の表示ユニット２０１および第２の表示ユニット２０２１上で連係して表示する。
【０１１９】
以下では、特定の例を使用することによって、このステップを説明する。第１の表示ユニット２０１および第２の表示ユニット２０２１上で連係して表示されるメニューアイテムが図６で示される場合、第１の表示ユニット２０１上の連絡先メニューアイテムをユーザがタップしたことが検出されたとき、図８に示されるように連絡先メニューアイテムは次レベルメニューをさらに有するので、連絡先メニューアイテムの次レベルメニュー、すなわち連絡先サブメニューアイテムが、第１の表示ユニット２０１および第２の表示ユニット２０２１上で連係して表示される。
【０１２０】
この実施形態では、選択されたメニューアイテムが次レベルメニューを有していない場合、操作が行われ得ない、または、次レベルメニューに関連する情報が存在しないことをユーザは通知され得る。
【０１２１】
Ｓ７０６：戻り操作命令を受け取る。
【０１２２】
この実施形態における戻り操作命令は、第１の表示ユニット２０１および／または第２の表示ユニット２０２１上の戻り操作が検出された後に生成される命令とすることができる。
【０１２３】
たとえば、図８に示されるように、戻り領域が第１の表示ユニット２０１上に表示されることができ、ユーザが戻り領域を選択したことが検出された後に、戻り操作命令が生成される。あるいは、ユーザが特定の方向でスライドをしたことが検出されたときに、戻り操作命令が生成されてもよい。たとえば、本発明のこの実施形態では、次のように設定され得る。ユーザが左にスライドをしたことが検出されたときに、選択操作命令が生成され、したがって次レベルメニューに進み、ユーザが右にスライドをしたことが検出されたときに、戻り操作命令が生成され、したがって前レベルメニューに戻る。あるいは、特定の機械的ボタンがウェアラブルインテリジェントデバイス上に配設されることができ、ユーザの戻り操作を受け取るように構成される。たとえば、機械的ボタンが第１の表示ユニット上の特定の位置（たとえば、左ボタン）に配設され、機械的ボタンが押圧されたことが検出されたときに、戻り操作が検出される。
【０１２４】
Ｓ７０７：第１の表示ユニット２０１上に現在表示されているメニューアイテムを取得する。
【０１２５】
表示されたメニューアイテムは、メニューアイテムの識別子によって表されることができる。
【０１２６】
Ｓ７０８：ステップＳ７０７で取得されたメニューアイテムの前レベルメニューを第１の表示ユニット２０１および第２の表示ユニット２０２１上で連係して表示する。
【０１２７】
以下では、特定の例を使用することによって、このステップを説明する。第１の表示ユニット２０１および第２の表示ユニット２０２１上で連係して表示されるメニューアイテムが図８で示される場合、ユーザが戻り領域をタップしたことが検出された後、第１の表示ユニット２０１上に表示された連絡先サブメニューアイテムは前レベルメニューを有するので、連絡先サブメニューアイテムの前レベルメニューが、図６に示されるように第１の表示ユニット２０１および第２の表示ユニット２０２１上で連係して表示される。
【０１２８】
この実施形態では、ステップＳ７０７で取得されたメニューアイテムが前レベルメニューを有していない場合、操作が行われ得ない、または、前レベルメニューに関連する情報が存在しないことをユーザは通知され得る。
【０１２９】
Ｓ７０９：メインメニュー操作命令を受け取る。
【０１３０】
この実施形態におけるメインメニュー操作命令は、第１の表示ユニット２０１および／または第２の表示ユニット２０２１上のメインメニューに戻る操作が検出された後に生成される命令とすることができる。
【０１３１】
たとえば、図８に示されるように、メインメニュー領域は、第１の表示ユニット２０１上に表示されることができ、メインメニュー操作命令は、ユーザがメインメニュー領域を選択したことを検出した後に生成される。あるいは、特定の機械的ボタンがウェアラブルインテリジェントデバイス上に配設されることができ、ユーザの戻り操作を受け取るように構成される。たとえば、機械的ボタンが第１の表示ユニット上の特定の位置（たとえば、右ボタン）に配設され、機械的ボタンが押圧されたことが検出されたときに、メインメニューに戻る操作が検出される。
【０１３２】
Ｓ７１０：操作メニューのメインメニューを第１の表示ユニット２０１および第２の表示ユニット２０２１上で連係して表示する。
【０１３３】
以下では、特定の例を使用することによって、このステップを説明する。第１の表示ユニット２０１および第２の表示ユニット２０２１上で連係して表示されるメニューアイテムが図８で示される場合、ユーザがメインメニュー領域をタップしたことが検出された後、図２に示されるように、操作メニューのメインメニューが、第１の表示ユニット２０１および第２の表示ユニット２０２１上で連係して表示される。
【０１３４】
上記の技術的解決策から理解され得るように、この実施形態は、操作メニューのメニューアイテムが第１の表示ユニット２０１および第２の表示ユニット２０２１上で連係して表示された後に、次レベルメニューに進むこと、前レベルメニューに戻ること、およびメインメニューに戻ることの操作プロセスが実行され得ることを主に説明している。
【０１３５】
次レベルメニューに進むこと、前レベルメニューに戻ること、およびメインメニューに戻ることの３つの操作プロセスは、この実施形態では同時に実行されるが、別の実施形態では、上記の３つの操作プロセスのうちの１または複数の操作プロセスのみが実行され得ることに留意されたい。また、この実施形態においてステップＳ７０３、Ｓ７０６、およびＳ７０９を行う系列も限定されない。
【０１３６】
たいていのウェアラブルインテリジェントデバイス（特にスマートウォッチ）は時間を表示する機能を有するので、本発明のこの実施形態におけるウェアラブルインテリジェントデバイスはさらに、インテリジェント機能と時間表示機能との間の切替えをすることができる。以下では実施形態を使用することによって説明を行う。
【０１３７】
図９を参照すると、本発明の実施形態は、ウェアラブルインテリジェントデバイスのアイコン表示方法の第４の実施形態を提供している。この実施形態のより良い説明のために、この実施形態は、図２に示されているウェアラブルインテリジェントデバイスを例として使用することによって説明されており、すなわち、この実施形態におけるウェアラブルインテリジェントデバイスは、第１の表示ユニット２０１および取り囲み装置２０２を含み、取り囲み装置２０２は、第２の表示ユニット２０２１および固着装置２０２２を含む。
【０１３８】
この実施形態は、具体的には以下のステップを含む。
【０１３９】
Ｓ９０１：表示操作命令を受け取る。
【０１４０】
Ｓ９０２：少なくとも２つのアイコンの予め設定された系列に基づいて、アイコンを第１の表示ユニット２０１および第２の表示ユニット２０２１上で連係して表示する。
【０１４１】
ステップＳ９０１およびステップＳ９０２は、方法の第１の実施形態におけるステップＳ１０１およびステップＳ１０２と同様である。関連する情報については、ステップＳ１０１およびステップＳ１０２を参照し、詳細は本明細書で再度説明されない。
【０１４２】
Ｓ９０３：切替え操作命令を受け取る。
【０１４３】
この実施形態における切替え操作命令は、ユーザの時間切替え操作（time switching operation）が検出された後に生成される命令とすることができる。たとえば、特定の機械的ボタンがウェアラブルインテリジェントデバイス上に配設されることができ、ユーザの時間切替え操作を受け取るように構成される。たとえば、機械的ボタンが第１の表示ユニット上の特定の位置に配設され、機械的ボタンが押圧されたことが検出されたときに、時間切替え操作が検出される。
【０１４４】
あるいは、この実施形態における切替え操作命令は、時間切替えの予め設定された条件が満たされたことが検出された後に生成される命令とすることができる。たとえば、切替え操作命令は、予め設定された時間内にユーザがこの実施形態におけるデバイスに対していかなる操作も行っていないことが検出された後に生成される。
【０１４５】
Ｓ９０４：第１の表示ユニット２０１および第２の表示ユニット２０２１上に現在表示されているアイコンを隠す。
【０１４６】
アイコンを隠すことは、アイコンをもはや表示しないことであってもよい。
【０１４７】
Ｓ９０５：第１の表示ユニット２０１および／または第２の表示ユニット２０２１上に時間を表示する。
【０１４８】
この場合、時間が表示される部分を除いて、第１の表示ユニット２０１および／または第２の表示ユニット２０２１上の他の部分は、ブラックスクリーン状態にされ得る。
【０１４９】
ステップＳ９０４およびステップＳ９０５を行う系列は限定されない。
【０１５０】
上記の技術的解決策から理解され得るように、この実施形態は、第１の表示ユニット２０１および第２の表示ユニット２０２１を使用することによってアイコンが連係して表示された後に、時間表示機能への切替えが行われ得ることを主に説明している。この実施形態の後、さらに特定の操作によってアイコンが再表示され得る。
【０１５１】
以上では、本発明の実施形態のうちのアイコン表示方法の実施形態を説明しており、以下では、モジュール機能エンティティの観点から本発明の実施形態のうちのウェアラブルインテリジェントデバイスの実施形態を説明する。
【０１５２】
図１０を参照すると、本発明の実施形態は、ウェアラブルインテリジェントデバイスの第１の実施形態を提供している。この実施形態では、デバイスは、第１の表示ユニット１００１、取り囲み装置１００２（図示せず）、および受信ユニット１００３を含む。
【０１５３】
取り囲み装置１００２は、取り囲む様式でデバイスを人体に固着するように構成され、取り囲み装置１００２は、第２の表示ユニット１００４を含む。この実施形態における取り囲み装置１００２は、取り囲む機能を提供するように構成され、具体的には、この実施形態におけるウェアラブルインテリジェントデバイスを人体に取り囲む様式で固着する、たとえば、この実施形態におけるウェアラブルインテリジェントデバイスを腕、手首、首、脚、または足首などの部分に取り囲む様式で固着するように構成される。
【０１５４】
この実施形態における取り囲み装置１００２は、第２の表示ユニット１００４のみを含んでもよく、この場合、取り囲む機能は、第２の表示ユニット１００４によって完全に提供されることに留意されたい。あるいは、第２の表示ユニット１００４に加えて、この実施形態における取り囲み装置１００２は、固着装置をさらに含んでもよく、この場合、第２の表示ユニット１００４および固着装置が取り囲む機能を連係して提供する。固着装置は、ロープ状の物体、ストラップ状の物体（たとえば、革もしくは布のバンド）、またはリング状の物体などであり得る。この場合、第２の表示ユニット１００４は固着装置上に配設されてもよく、または第２の表示ユニット１００４の端部が固着装置の端部に接続される。
【０１５５】
受信ユニット１００３は、表示操作命令を受け取るように構成される。
【０１５６】
この実施形態における表示操作命令は、アイコンに対してユーザによって行われた表示操作が検出された後に生成される命令とすることができる。たとえば、ユーザの電源オン操作またはロック解除操作が検出された場合、またはユーザによるアプリケーションを終了する操作が検出された後に、表示操作命令が生成される。
【０１５７】
あるいは、この実施形態における表示操作命令は、アイコンを表示する予め設定された条件が満たされたことが検出された後に生成される命令とすることができる。たとえば、表示操作命令は、予め設定された時間内にユーザがこの実施形態におけるウェアラブルインテリジェントデバイスに対していかなる操作も行っていないことが検出された後に生成される。
【０１５８】
第１の表示ユニット１００１および第２の表示ユニット１００４は、少なくとも２つのアイコンの予め設定された系列に基づいて、アイコンを第１の表示ユニット１００１および第２の表示ユニット１００４上で連係して表示するように構成される。
【０１５９】
この実施形態における２つの表示ユニット（第１の表示ユニット１００１および第２の表示ユニット１００４）上でアイコンを連係して表示するということは、２つの表示ユニットの位置関係に従って、２つの表示ユニットが別々に、１または複数のアイコンの一部を表示し、２つの表示ユニットが一緒にされると、１または複数の完全なアイコンが表示されていることを意味する。
【０１６０】
本発明のこの実施形態で説明されている少なくとも２つのアイコンは、機能アイコンであってよく、対応する機能は、アプリケーションアイコンおよびショートカットアイコンなどのアイコンに対して選択操作を行うことによって実現されることが可能であり、または、少なくとも２つのアイコンは、識別アイコン、すなわち単に識別子として機能するアイコンであってもよい。当然ながら、本発明のこの実施形態におけるアイコンは別の形態であってもよく、本発明のこの実施形態はそれに制限を課すものではない。
【０１６１】
本発明のこの実施形態で説明されている少なくとも２つのアイコンは、独立したアイコンであってもよく、または特定の関連付けを有するアイコンであってもよい。たとえば、任意選択の様式で、本発明のこの実施形態におけるアイコンは、操作メニューのメニューアイテムである。たとえば、連絡先メニューアイテムおよび通話記録メニューアイテムが第２の表示ユニット１００４上に表示され、ブラウザメニューアイテムが第１の表示ユニット１００１上に表示される。実際、連絡先メニューアイテム、通話記録メニューアイテム、およびブラウザメニューアイテムは、操作メニューのメニューアイテムである。
【０１６２】
この実施形態における２つの表示ユニット上でアイコンを連係して表示することは、具体的には、少なくとも２つのアイコンの予め設定された系列に従って、アイコンを連係して表示することである。たとえば、アイコンが具体的には操作メニューのメニューアイテムであり、操作メニューのメニューアイテムの予め設定された系列が、通話記録メニューアイテム、連絡先メニューアイテム、ブラウザメニューアイテムであるとき、上記３つのメニューアイテムは、上から下への系列で２つの表示ユニット上で順に表示される。
【０１６３】
この実施形態で説明されている少なくとも２つのアイコンの数量が、この場合に第１の表示ユニット１００１および第２の表示ユニット１００４上で連係して表示されるアイコンの数量に限定されないことは理解され得る。実際、現在表示されているアイコンの数量は、第１の表示ユニット１００１および第２の表示ユニット１００４の表示領域に応じて設定され得る。好ましい様式では、第１の表示ユニット１００１上に１つだけのアイコンを表示している。
【０１６４】
上記の技術的解決策から理解され得るように、この実施形態では、第１の表示ユニット１００１に加えて、追加の表示ユニット、すなわち第２の表示ユニット１００４が、取り囲み装置のスペースを使用することによってさらに配設され、アイコンが、第１の表示ユニット１００１および第２の表示ユニット１００４を使用することによって連係して表示される。理解され得るように、この実施形態において、表示装置の表示領域が巧みに増大され、そのような増大はウェアラブルインテリジェントデバイスの軽さおよび扱いやすさの特徴に影響せず、表示されるアイコンの数量の増大が実現され、ユーザが必要とするアイコンをユーザによって見つける速度が改善され、それにより、システム負荷が過度なユーザ操作によって増大することを防止する。
【０１６５】
この実施形態におけるウェアラブルインテリジェントデバイスは、取り囲む様式で人体の部分（たとえば、腕、手首、首、脚、または足首などの部分）に着用されるインテリジェントデバイス、たとえば、スマートウォッチ、スマートバンド、またはスマートヘッドバンドなどであり得る。この実施形態は、この実施形態におけるウェアラブルインテリジェントデバイスによって実行されることができ、具体的には、ウェアラブルインテリジェントデバイスに含まれる処理ユニットによって実行されることができる。
【０１６６】
この実施形態では、第１の表示ユニット１００１および第２の表示ユニット１００４は、同じ表示装置に属することができる。この場合、第１の表示ユニット１００１および第２の表示ユニット１００４が属する表示装置は、変則的な形状の表示装置であってよく、または当然ながら、通常の形状の表示装置であってもよく、本発明のこの実施形態はそれに制限を課すものではない。
【０１６７】
あるいは、第１の表示ユニット１００１と第２の表示ユニット１００４は、異なる装置に属してもよい。この場合、第１の表示ユニット１００１が属する表示装置は、第２の表示ユニット１００４が属する表示装置に接続され、２つの表示装置は、具体的にはインターフェースを使用することによって接続されることができ、したがって、データ交換が２つの表示装置の間で行われることが可能である。当然ながら、第１の表示ユニット１００１が属する表示装置は、第２の表示ユニット１００４が属する表示装置に接続されなくてもよく、本発明のこの実施形態はそれに制限を課すものではない。
【０１６８】
本発明のこの実施形態では、第１の表示ユニット１００１と第２の表示ユニット１００４の両方は、ＬＥＤ、Ｅ＿ｌｉｎｋ、ＯＬＥＤ、またはＬＣＤなどの材料を使用し得る。コストを考慮して、本発明のこの実施形態における第２の表示ユニット１００４は、コスト効率の良い材料、たとえば、ＬＥＤドットマトリクスを使用することができる。あるいは、第２の表示ユニット１００４は、表示機能のみを有してもよく、タッチスクリーン機能を有しない。より人間工学設計原理に適合して、本発明のこの実施形態における第２の表示ユニット１００４は弧状にされてもよい。この場合、第２の表示ユニット１００４は、Ｅ＿ｌｉｎｋまたはＯＬＥＤなどの可撓性材料を使用することができる。
【０１６９】
本発明のこの実施形態では、第１の表示ユニット１００１および第２の表示ユニット１００４だけが、アイコンを連係して表示するのではなく、より多くの表示ユニットがアイコンを連係して表示するように配設されてもよい。たとえば、第２の表示ユニット１００４に加えて、本発明のこの実施形態における取り囲み装置１００２が、第３の表示ユニットをさらに含むことができる。第２の表示ユニット１００４および第３の表示ユニットは、第１の表示ユニット１００１の両側にそれぞれ配設される。加えて、第１の表示ユニット１００１、第２の表示ユニット１００４、および第３の表示ユニットは、アイコンを連係して表示するように構成される
【０１７０】
この場合、取り囲み装置１００２は、第２の表示ユニット１００４および第３の表示ユニットのみを含んでもよく、この場合、取り囲む機能は、第２の表示ユニット１００４および第３の表示ユニットによって完全に提供されることに留意されたい。あるいは、第２の表示ユニット１００４および第３の表示ユニットに加えて、この実施形態における取り囲み装置１００２は、固着装置をさらに含んでもよく、この場合、第２の表示ユニット１００４、第３の表示ユニット、および固着装置は、取り囲む機能を連係して提供する。この場合、第３の表示ユニットは固着装置上に配設されてもよく、または第３の表示ユニットの端部が固着装置の端部に接続される。また、第１の表示ユニット１００１、第２の表示ユニット１００４、および第３の表示ユニットは、同じ表示装置に属してもよく、またはそれぞれ異なる表示装置に属してもよい。コストを考慮して、本発明のこの実施形態における第３の表示ユニットは、コスト効率の良い材料を使用することができる。あるいは、第３の表示ユニットは、表示機能のみを有してもよく、タッチスクリーン機能を有しない。より人間工学設計原理に適合して、本発明のこの実施形態における第３の表示ユニットは弧状にされてもよい。この場合、第３の表示ユニットは、可撓性材料を使用することができる。
【０１７１】
この実施形態では、２つの表示ユニットを使用することによってアイコンを連係して表示することが具体的に説明されている。加えて、本発明のこの実施形態は、表示されたアイコンに対してさらなる操作を行うプロセスをさらに提供する。たとえば、本発明のこの実施形態では、表示されたアイコンを移動させる操作がさらに行われてよく、以下では、特定の例を使用することによって、アイコンを移動させる操作を行うプロセスを説明する。
【０１７２】
図１１を参照すると、本発明の実施形態は、ウェアラブルインテリジェントデバイスの第２の実施形態を提供している。この実施形態では、デバイスは、第１の表示ユニット１１０１、取り囲み装置１１０２（図示せず）、および受信ユニット１１０３を含む。取り囲み装置１１０２は、取り囲む様式でデバイスを人体に固着するように構成される。取り囲み装置１１０２は、第２の表示ユニット１１０４を含む。
【０１７３】
受信ユニット１１０３は、表示操作命令を受け取るように構成される。
【０１７４】
第１の表示ユニット１１０１および第２の表示ユニット１１０４は、少なくとも２つのアイコンの予め設定された系列に基づいて、アイコンを第１の表示ユニット１１０１および第２の表示ユニット１１０４上で連係して表示するように構成される。
【０１７５】
受信ユニット１１０３は、移動操作命令を受け取り、移動操作命令における移動方向を取得するようにさらに構成される。
【０１７６】
この実施形態における移動操作命令は、アイコンに対してユーザによって行われた移動操作が検出された後に生成される命令とすることができる。
【０１７７】
たとえば、この実施形態における移動操作命令は、第１の表示ユニット１１０１または第２の表示ユニット１１０４上のスライド操作が検出された後に生成される命令とすることができる。第１の表示ユニット１１０１と第２の表示ユニット１１０４の両方がタッチスクリーン機能を有し、両方の表示ユニットがユーザのスライド操作に応答できる場合、ユーザが２つの表示ユニットのいずれかの表示ユニットに対してスライド操作を行ったこと、または２つの表示ユニットに対してスライド操作を同時に行ったことが検出された後に、移動操作命令が生成される。第１の表示ユニット１１０１のみがタッチスクリーン機能を有し、第２の表示ユニット１１０４がタッチスクリーン機能を有しない、またはシステム設定によって第２の表示ユニット１１０４がユーザのスライド操作に応答することができないとすると、この場合、ユーザが第１の表示ユニット１１０１に対してスライド操作を行ったことが検出された後に、移動操作命令が生成される。
【０１７８】
この実施形態における取り囲み装置１１０２が第３の表示ユニットをさらに含む場合、移動操作命令は、第１の表示ユニット１１０１、第２の表示ユニット１１０４、および第３の表示ユニットのいずれかの表示ユニット上のスライド操作が検出された後に生成される命令とすることができる。
【０１７９】
スライド操作の他に、この実施形態における移動操作命令は、あるいは別の形態の操作が検出された後に生成される命令であってもよい。たとえば、移動操作命令は、第２の表示ユニット１１０４上のターゲットアイコンを選択する操作が検出された後に生成される命令とすることができ、移動操作命令は、ターゲットアイコンを含む。ターゲットアイコンをユーザによって選択することは、ユーザがターゲットアイコンを第２の表示ユニット１１０４から第１の表示ユニット１１０１へ移動させるよう意図することを示す。
【０１８０】
あるいは、この実施形態におけるウェアラブルインテリジェントデバイスは、機械的設定装置をさらに含み、移動操作命令は、機械的設定装置に対する操作が検出された後に生成される命令とすることができる。たとえば、機械的設定装置は機械的ボタンとすることができ、異なる機械的ボタンが異なる移動操作にそれぞれ対応するように設定され得る。たとえば、機械的ボタンが上向きの移動および下向きの移動にそれぞれ対応するように設定される。あるいは、機械的ボタンの異なる位置が、異なる移動操作に対応するように設定されてもよく、または異なる強さおよび異なる方向で機械的ボタンを押圧することが、異なる移動操作に対応するように設定されてもよい。別の例として、機械的設定装置は、機械的レバーであってもよく、機械的レバーが異なる位置へシフトされることが、それぞれ異なる移動操作に対応する。当然ながら、機械的ボタンおよび機械的レバーの他に、本発明のこの実施形態における機械的設定装置は、設定操作を受け取る能力のみを要する別の形態の機械的装置であってもよい。また、本発明のこの実施形態における機械的設定装置は、機械的設定装置の既存の機械的装置であってよく、または新しく追加された機械的装置であってもよく、本発明のこの実施形態はそれに制限を課すものではない。
【０１８１】
以下では、上記の機械的設定装置が配設される位置を説明する。上記の機械的設定装置は、本発明のこの実施形態におけるウェアラブルインテリジェントデバイス上に配設されることができ、たとえば、上記の機械的設定装置は、第１の表示ユニット１１０１または第２の表示ユニット１１０４上に配設される。たとえば、ウェアラブルインテリジェントデバイスがスマートウォッチであるとき、機械的ボタンまたは機械的レバーは時計文字盤の側面に配設され得る。上記の機械的設定装置は、本発明のこの実施形態におけるウェアラブルインテリジェントデバイス上に配設されないこともあり、すなわち、上記の機械的設定装置は、ウェアラブルインテリジェントデバイスに物理的に接続されない。この場合、機械的設定装置は、ワイヤレスネットワークを使用することによってウェアラブルインテリジェントデバイスに接続され得る。
【０１８２】
移動操作命令は、アイコンを移動する移動方向を含む。この実施形態におけるアイコンが、たとえば、具体的には操作メニューのメニューアイテムである場合、ユーザが下向きのスライド操作を行ったこと、または下向きに機械的ボタンを押圧したことが検出された後、下向きの移動方向を有する移動操作命令が生成され、それは、メニューアイテムが下向きに移動される必要があることを示す。
【０１８３】
第１の表示ユニット１１０１および第２の表示ユニット１１０４は、受信ユニット１１０３によって取得された移動方向、および少なくとも２つのアイコンの予め設定された系列に基づいて、第１の表示ユニット１１０１および第２の表示ユニット１１０４上でアイコンの表示位置を移動させるようにさらに構成される。
【０１８４】
本明細書では、第１の表示ユニット１１０１および第２の表示ユニット１１０４上のアイコンの表示位置の移動は、実際にリンク様式である。
【０１８５】
好ましい様式では、第１の表示ユニット１１０１上のアイコンの移動の距離値は、第２の表示ユニット１１０４上のアイコンの移動の距離値と等しい。当然ながら、第１の表示ユニット１１０１と第２の表示ユニット１１０４は、表示ユニットサイズおよび形状が異なることがあるので、２つの表示ユニット上のアイコンの移動の距離値は異なることがあり、本発明のこの実施形態はそれに制限を課すものではない。
【０１８６】
第１の表示ユニット１１０１および第２の表示ユニット１１０４は、第１の表示ユニット１１０１および第２の表示ユニット１１０４上のアイコンの表示されることになる位置を、取得された移動方向およびアイコンの予め設定された系列に従って計算することができ、計算によって得られた表示されることになる位置に従って、アイコンを再配列することができることに留意されたい。
【０１８７】
この実施形態では、受信ユニット１１０３はさらに、移動操作命令におけるパラメータ値を取得することができ、この場合、第１の表示ユニット１１０１または第２の表示ユニット１１０４上のアイコンの移動の距離値が、取得されたパラメータ値に対応している。たとえば、パラメータ値は、検出されたスライド操作の時間長またはスライド距離などであり得る。したがって、検出されたスライド操作のより長い時間またはより長いスライド距離が、アイコンのより大きい最終移動距離を示す。
【０１８８】
この実施形態では、移動操作命令が、第２の表示ユニット１１０４上のターゲットアイコンを選択する操作が検出された後に生成される命令である場合、受信ユニット１１０３は、移動操作命令におけるターゲットアイコンを取得するようにさらに構成され、第１の表示ユニット１１０１および第２の表示ユニット１１０４が、第１の表示ユニット１１０１および第２の表示ユニット１１０４上でアイコンの表示位置を移動させるように構成されることは、具体的には、第１の表示ユニット１１０１および第２の表示ユニット１１０４が、第１の表示ユニット１１０１および第２の表示ユニット１１０４上でアイコンの表示位置を移動させ、第１の表示ユニット１１０１上でターゲットアイコンを表示するように構成されることである。
【０１８９】
上記の技術的解決策から理解され得るように、この実施形態は、第１の表示ユニット１１０１および第２の表示ユニット１１０４を使用することによってアイコンが連係して表示された後、第１の表示ユニット１１０１と第２の表示ユニット１１０４とに表示されたアイコンの間にリンクが実現され得ることを主に説明している。
【０１９０】
本発明のこの実施形態では、アイコンが具体的には操作メニューのメニューアイテムであるとき、メニューアイテムの次レベルメニューに進むこと、前レベルメニューに戻ること、およびメインメニューに戻ることの操作プロセスのうちの少なくとも１つが、特定の操作によってさらに実行され得る。以下では、実施形態を使用して、上記の３つの操作プロセスが同時に実行される状況を説明する。
【０１９１】
図１２を参照すると、本発明の実施形態は、ウェアラブルインテリジェントデバイスの第３の実施形態を提供している。この実施形態では、デバイスは、第１の表示ユニット１２０１、取り囲み装置１２０２（図示せず）、および受信ユニット１２０３を含む。取り囲み装置１２０２は、取り囲む様式でデバイスを人体に固着するように構成される。取り囲み装置１２０２は、第２の表示ユニット１２０４を含む。この実施形態では、アイコンが具体的には操作メニューのメニューアイテムである。
【０１９２】
受信ユニット１２０３は、表示操作命令を受け取るように構成される。
【０１９３】
第１の表示ユニット１２０１および第２の表示ユニット１２０４は、少なくとも２つのアイコンの予め設定された系列に基づいて、アイコンを第１の表示ユニット１２０１および第２の表示ユニット１２０４上で連係して表示するように構成される。
【０１９４】
受信ユニット１２０３は、選択操作命令を受け取り、選択操作命令における選択されたメニューアイテムを取得するようにさらに構成される。
【０１９５】
この実施形態における選択操作命令は、第１の表示ユニット１２０１または第２の表示ユニット１２０４上のメニューアイテム上での選択操作が検出された後に生成される命令とすることができる。選択操作は、タップ、ダブルタップ、タッチアンドホールド、または特定の方向のスライドなどの操作であってよく、本発明のこの実施形態はそれに制限を課すものではない。
【０１９６】
第１の表示ユニット１２０１と第２の表示ユニット１２０４の両方がタッチスクリーン機能を有し、両方の表示ユニットがユーザの選択操作に応答できる場合、ユーザが２つの表示ユニットのいずれかの表示ユニットに対して選択操作を行ったこと、または２つの表示ユニットに対して選択操作を同時に行ったことが検出された後に、選択操作命令が生成される。第１の表示ユニット１２０１のみがタッチスクリーン機能を有し、第２の表示ユニット１２０４がタッチスクリーン機能を有しない、またはシステム設定によって第２の表示ユニット１２０４がユーザの選択操作に応答することができないとすると、この場合、ユーザが第１の表示ユニット１２０１に対して選択操作を行ったことが検出された後に、選択操作命令が生成される。
【０１９７】
この実施形態では、ユーザの誤操作を回避する目的を考慮して、第１の表示ユニット１２０１はさらに、選択されるべき領域として設定されることができ、１つだけのメニューアイテムが第１の表示ユニット１２０１上に表示され、選択操作命令は、表示ユニット１２０１上のメニューアイテム上での選択操作が検出された後にのみ生成される。
【０１９８】
選択操作命令は、選択されたメニューアイテムを含む。実際、メニューアイテムに対してユーザによって行われた選択操作が検出された後、選択されたメニューアイテムがその選択されたメニューアイテムであり、選択されたメニューアイテムを含む選択操作命令が生成され、それは、ユーザがメニューアイテムを選択したことを示す。選択されたメニューアイテムは、メニューアイテムの識別子によって表されることができる。
【０１９９】
第１の表示ユニット１２０１および第２の表示ユニット１２０４は、選択されたメニューアイテムの次レベルメニューを第１の表示ユニット１２０１および第２の表示ユニット１２０４上で連係して表示するようにさらに構成される。
【０２００】
この実施形態では、選択されたメニューアイテムが次レベルメニューを有していない場合、操作が行われ得ない、または、次レベルメニューに関連する情報が存在しないことをユーザは通知され得る。
【０２０１】
受信ユニット１２０３は、戻り操作命令を受け取り、第１の表示ユニット１２０１上に現在表示されているメニューアイテムを取得するようにさらに構成される。
【０２０２】
この実施形態における戻り操作命令は、第１の表示ユニット１２０１および／または第２の表示ユニット１２０４上の戻り操作が検出された後に生成される命令とすることができる。
【０２０３】
たとえば、戻り領域が第１の表示ユニット１２０１上に表示されることができ、ユーザが戻り領域を選択したことが検出された後に、戻り操作命令が生成される。あるいは、ユーザが特定の方向でスライドをしたことが検出されたときに、戻り操作命令が生成されてもよい。たとえば、本発明のこの実施形態では、次のように設定され得る。ユーザが左にスライドをしたことが検出されたときに、選択操作命令が生成され、したがって次レベルメニューに進み、ユーザが右にスライドをしたことが検出されたときに、戻り操作命令が生成され、したがって前レベルメニューに戻る。あるいは、特定の機械的ボタンがウェアラブルインテリジェントデバイス上に配設されることができ、ユーザの戻り操作を受け取るように構成される。たとえば、機械的ボタンが第１の表示ユニット上の特定の位置（たとえば、左ボタン）に配設され、機械的ボタンが押圧されたことが検出されたときに、戻り操作が検出される。
【０２０４】
第１の表示ユニット１２０１および第２の表示ユニット１２０４は、取得されたメニューアイテムの前レベルメニューを第１の表示ユニット１２０１および第２の表示ユニット１２０４上で連係して表示するようにさらに構成される。
【０２０５】
この実施形態では、取得されたメニューアイテムが前レベルメニューを有していない場合、操作が行われ得ない、または、前レベルメニューに関連する情報が存在しないことをユーザは通知され得る。
【０２０６】
受信ユニット１２０３は、メインメニュー操作命令を受け取るようにさらに構成される。
【０２０７】
この実施形態におけるメインメニュー操作命令は、１の表示ユニット１２０１および／または第２の表示ユニット１２０４上のメインメニューに戻る操作が検出された後に生成される命令とすることができる。
【０２０８】
たとえば、メインメニュー領域は、第１の表示ユニット１２０１上に表示されることができ、メインメニュー操作命令は、ユーザがメインメニュー領域を選択したことを検出した後に生成される。あるいは、特定の機械的ボタンがウェアラブルインテリジェントデバイス上に配設されることができ、ユーザの戻り操作を受け取るように構成される。たとえば、機械的ボタンが第１の表示ユニット上の特定の位置（たとえば、右ボタン）に配設され、機械的ボタンが押圧されたことが検出されたときに、メインメニューに戻る操作が検出される。
【０２０９】
第１の表示ユニット１２０１および第２の表示ユニット１２０４は、操作メニューのメインメニューを第１の表示ユニット１２０１および第２の表示ユニット１２０４上で連係して表示するようにさらに構成される。
【０２１０】
上記の技術的解決策から理解され得るように、この実施形態は、操作メニューのメニューアイテムが第１の表示ユニット１２０１および第２の表示ユニット１２０４上で連係して表示された後に、次レベルメニューに進むこと、前レベルメニューに戻ること、およびメインメニューに戻ることの操作プロセスが実行され得ることを主に説明している。
【０２１１】
次レベルメニューに進むこと、前レベルメニューに戻ること、およびメインメニューに戻ることの３つの操作プロセスは、この実施形態では同時に実行されるが、別の実施形態では、上記の３つの操作プロセスのうちの１または複数の操作プロセスのみが実行され得ることに留意されたい。
【０２１２】
たいていのウェアラブルインテリジェントデバイス（特にスマートウォッチ）は時間を表示する機能を有するので、本発明のこの実施形態におけるウェアラブルインテリジェントデバイスはさらに、インテリジェント機能と時間表示機能との間の切替えをすることができる。以下では実施形態を使用することによって説明を行う。
【０２１３】
図１３を参照すると、本発明の実施形態は、ウェアラブルインテリジェントデバイスの第４の実施形態を提供している。この実施形態では、デバイスは、第１の表示ユニット１３０１、取り囲み装置１３０２（図示せず）、および受信ユニット１３０３を含む。取り囲み装置１３０２は、取り囲む様式でデバイスを人体に固着するように構成される。取り囲み装置１３０２は、第２の表示ユニット１３０４を含む。
【０２１４】
受信ユニット１３０３は、表示操作命令を受け取るように構成される。
【０２１５】
第１の表示ユニット１３０１および第２の表示ユニット１３０４は、少なくとも２つのアイコンの予め設定された系列に基づいて、アイコンを第１の表示ユニット１３０１および第２の表示ユニット１３０４上で連係して表示するように構成される。
【０２１６】
受信ユニット１３０３は、切替え操作命令を受け取るようにさらに構成される。
【０２１７】
この実施形態における切替え操作命令は、ユーザの時間切替え操作が検出された後に生成される命令とすることができる。たとえば、特定の機械的ボタンがウェアラブルインテリジェントデバイス上に配設されることができ、ユーザの時間切替え操作を受け取るように構成される。たとえば、機械的ボタンが第１の表示ユニット上の特定の位置に配設され、機械的ボタンが押圧されたことが検出されたときに、時間切替え操作が検出される。
【０２１８】
あるいは、この実施形態における切替え操作命令は、時間切替えの予め設定された条件が満たされたことが検出された後に生成される命令とすることができる。たとえば、切替え操作命令は、予め設定された時間内にユーザがこの実施形態におけるデバイスに対していかなる操作も行っていないことが検出された後に生成される。
【０２１９】
第１の表示ユニット１３０１および第２の表示ユニット１３０４は、第１の表示ユニット１３０１および第２の表示ユニット１３０４上に現在表示されているアイコンを隠すようにさらに構成される。アイコンを隠すことは、アイコンをもはや表示しないことであってもよい。
【０２２０】
第１の表示ユニット１３０１および／または第２の表示ユニット１３０４は、第１の表示ユニット１３０１および／または第２の表示ユニット１３０４上に時間を表示するようにさらに構成される。
【０２２１】
時間が表示される部分を除いて、第１の表示ユニット１３０１および／または第２の表示ユニット１３０４上の他の部分は、ブラックスクリーン状態にされ得る。
【０２２２】
上記の技術的解決策から理解され得るように、この実施形態は、第１の表示ユニット１３０１および第２の表示ユニット１３０４を使用することによってアイコンが連係して表示された後に、時間表示機能への切替えが行われ得ることを主に説明している。この実施形態の後、さらに特定の操作によってアイコンが再表示され得る。
【０２２３】
以上では、モジュール機能エンティティの観点から本発明の実施形態のうちのウェアラブルインテリジェントデバイスの実施形態を説明している。以下では、ハードウェア処理の観点から本発明の実施形態のうちのウェアラブルインテリジェントデバイスの実施形態を説明する。
【０２２４】
図１４を参照すると、本発明の実施形態は、ウェアラブルインテリジェントデバイスの第５の実施形態を提供している。この実施形態では、デバイスは、第１の表示スクリーン１４０１、取り囲み装置１４０２（図示せず）、受信器１４０３、およびプロセッサ１４０４を含む。
【０２２５】
取り囲み装置１４０２は、取り囲む様式でデバイスを人体に固着するように構成され、取り囲み装置１４０２は、第２の表示スクリーン１４０５を含む。この実施形態における取り囲み装置１４０２は、取り囲む機能を提供するように構成され、具体的には、この実施形態におけるウェアラブルインテリジェントデバイスを人体に取り囲む様式で固着する、たとえば、この実施形態におけるウェアラブルインテリジェントデバイスを腕、手首、首、脚、または足首などの部分に取り囲む様式で固着するように構成される。
【０２２６】
この実施形態における取り囲み装置１４０２は、第２の表示スクリーン１４０５のみを含んでもよく、この場合、取り囲む機能は、第２の表示スクリーン１４０５によって完全に提供されることに留意されたい。あるいは、第２の表示スクリーン１４０５に加えて、この実施形態における取り囲み装置１４０２は、固着装置をさらに含んでもよく、この場合、第２の表示スクリーン１４０５および固着装置が取り囲む機能を連係して提供する。固着装置は、ロープ状の物体、ストラップ状の物体（たとえば、革もしくは布のバンド）、またはリング状の物体などであり得る。この場合、第２の表示スクリーン１４０５は固着装置上に配設されてもよく、または第２の表示スクリーン１４０５の端部が固着装置の端部に接続される。
【０２２７】
受信器１４０３は、表示操作命令を受け取るように構成される。
【０２２８】
この実施形態における表示操作命令は、アイコンに対してユーザによって行われた表示操作が検出された後に生成される命令とすることができる。たとえば、ユーザの電源オン操作またはロック解除操作が検出された場合、またはユーザによるアプリケーションを終了する操作が検出された後に、表示操作命令が生成される。
【０２２９】
あるいは、この実施形態における表示操作命令は、アイコンを表示する予め設定された条件が満たされたことが検出された後に生成される命令とすることができる。たとえば、表示操作命令は、予め設定された時間内にユーザがこの実施形態におけるウェアラブルインテリジェントデバイスに対していかなる操作も行っていないことが検出された後に生成される。
【０２３０】
プロセッサ１４０４は、少なくとも２つのアイコンの予め設定された系列に基づいて、アイコンを第１の表示スクリーン１４０１および第２の表示スクリーン１４０５上で連係して表示するように構成される。
【０２３１】
この実施形態における２つの表示スクリーン（第１の表示スクリーン１４０１および第２の表示スクリーン１４０５）上でアイコンを連係して表示するということは、２つの表示スクリーンの位置関係に従って、２つの表示スクリーンが別々に、１または複数のアイコンの一部を表示し、２つの表示スクリーンが一緒にされると、１または複数の完全なアイコンが表示されていることを意味する。
【０２３２】
本発明のこの実施形態で説明されている少なくとも２つのアイコンは、機能アイコンであってよく、対応する機能は、アプリケーションアイコンおよびショートカットアイコンなどのアイコンに対して選択操作を行うことによって実現されることが可能であり、または、少なくとも２つのアイコンは、識別アイコン、すなわち単に識別子として機能するアイコンであってもよい。当然ながら、本発明のこの実施形態におけるアイコンは別の形態であってもよく、本発明のこの実施形態はそれに制限を課すものではない。
【０２３３】
本発明のこの実施形態で説明されている少なくとも２つのアイコンは、独立したアイコンであってもよく、または特定の関連付けを有するアイコンであってもよい。たとえば、任意選択の様式で、本発明のこの実施形態におけるアイコンは、操作メニューのメニューアイテムである。たとえば、連絡先メニューアイテムおよび通話記録メニューアイテムが第２の表示スクリーン１４０５上に表示され、ブラウザメニューアイテムが第１の表示スクリーン１４０１上に表示される。実際、連絡先メニューアイテム、通話記録メニューアイテム、およびブラウザメニューアイテムは、操作メニューのメニューアイテムである。
【０２３４】
この実施形態における２つの表示スクリーン上でアイコンを連係して表示することは、具体的には、少なくとも２つのアイコンの予め設定された系列に従って、アイコンを連係して表示することである。たとえば、アイコンが具体的には操作メニューのメニューアイテムであり、操作メニューのメニューアイテムの予め設定された系列が、通話記録メニューアイテム、連絡先メニューアイテム、ブラウザメニューアイテムであるとき、上記３つのメニューアイテムは、上から下への系列で２つの表示スクリーン上で順に表示される。
【０２３５】
この実施形態で説明されている少なくとも２つのアイコンの数量が、この場合に第１の表示スクリーン１４０１および第２の表示スクリーン１４０５上で連係して表示されるアイコンの数量に限定されないことは理解され得る。実際、現在表示されているアイコンの数量は、第１の表示スクリーン１４０１および第２の表示スクリーン１４０５の表示領域に応じて設定され得る。好ましい様式では、第１の表示スクリーン１４０１上に１つだけのアイコンを表示している。
【０２３６】
上記の技術的解決策から理解され得るように、この実施形態では、第１の表示スクリーン１４０１に加えて、追加の表示スクリーン、すなわち第２の表示スクリーン１４０５が、取り囲み装置のスペースを使用することによってさらに配設され、アイコンが、第１の表示スクリーン１４０１および第２の表示スクリーン１４０５を使用することによって連係して表示される。理解され得るように、この実施形態において、表示装置の表示領域が巧みに増大され、そのような増大はウェアラブルインテリジェントデバイスの軽さおよび扱いやすさの特徴に影響せず、表示されるアイコンの数量の増大が実現され、ユーザが必要とするアイコンをユーザによって見つける速度が改善され、それにより、システム負荷が過度なユーザ操作によって増大することを防止する。
【０２３７】
この実施形態におけるプロセッサの数量は１または複数とすることができ、図１４では、例として１つのプロセッサ１４０４が使用される。本発明のいくつかの実施形態では、第１の表示スクリーン１４０１、受信器１４０３、およびプロセッサ１４０４がバスを使用することでまたは別の様式で接続され得る。図１４では、例としてバスを使用することによる接続が使用される。
【０２３８】
この実施形態におけるウェアラブルインテリジェントデバイスは、取り囲む様式で人体の部分（たとえば、腕、手首、首、脚、または足首などの部分）に着用されるインテリジェントデバイス、たとえば、スマートウォッチ、スマートバンド、またはスマートヘッドバンドなどであり得る。この実施形態は、この実施形態におけるウェアラブルインテリジェントデバイスによって実行されることができ、具体的には、ウェアラブルインテリジェントデバイスに含まれるプロセッサによって実行されることができる。
【０２３９】
この実施形態では、第１の表示スクリーン１４０１および第２の表示スクリーン１４０５は、同じ表示装置に属することができる。この場合、第１の表示スクリーン１４０１および第２の表示スクリーン１４０５が属する表示装置は、変則的な形状の表示装置であってよく、または当然ながら、通常の形状の表示装置であってもよく、本発明のこの実施形態はそれに制限を課すものではない。
【０２４０】
あるいは、第１の表示スクリーン１４０１と第２の表示スクリーン１４０５は、異なる装置に属してもよい。この場合、第１の表示スクリーン１４０１が属する表示装置は、第２の表示スクリーン１４０５が属する表示装置に接続され、２つの表示装置は、具体的にはインターフェースを使用することによって接続されることができ、したがって、データ交換が２つの表示装置の間で行われることが可能である。当然ながら、第１の表示スクリーン１４０１が属する表示装置は、第２の表示スクリーン１４０５が属する表示装置に接続されなくてもよく、本発明のこの実施形態はそれに制限を課すものではない。
【０２４１】
本発明のこの実施形態では、第１の表示スクリーン１４０１と第２の表示スクリーン１４０５の両方は、ＬＥＤ、Ｅ＿ｌｉｎｋ、ＯＬＥＤ、またはＬＣＤなどの材料を使用し得る。コストを考慮して、本発明のこの実施形態における第２の表示スクリーン１４０５は、コスト効率の良い材料、たとえば、ＬＥＤドットマトリクスを使用することができる。あるいは、第２の表示スクリーン１４０５は、表示機能のみを有してもよく、タッチスクリーン機能を有しない。より人間工学設計原理に適合して、本発明のこの実施形態における第２の表示スクリーン１４０５は弧状にされてもよい。この場合、第２の表示スクリーン１４０５は、Ｅ＿ｌｉｎｋまたはＯＬＥＤなどの可撓性材料を使用することができる。
【０２４２】
本発明のこの実施形態では、第１の表示スクリーン１４０１および第２の表示スクリーン１４０５だけが、アイコンを連係して表示するのではなく、より多くの表示スクリーンがアイコンを連係して表示するように配設されてもよい。たとえば、第２の表示スクリーン１４０５に加えて、本発明のこの実施形態における取り囲み装置１４０２が、第３の表示スクリーンをさらに含むことができる。第２の表示スクリーン１４０５および第３の表示スクリーンは、第１の表示スクリーン１４０１の両側にそれぞれ配設される。加えて、第１の表示スクリーン１４０１、第２の表示スクリーン１４０５、および第３の表示スクリーンは、アイコンを連係して表示するように構成される。
【０２４３】
この場合、取り囲み装置１４０２は、第２の表示スクリーン１４０５および第３の表示スクリーンのみを含んでもよく、この場合、取り囲む機能は、第２の表示スクリーン１４０５および第３の表示スクリーンによって完全に提供されることに留意されたい。あるいは、第２の表示スクリーン１４０５および第３の表示スクリーンに加えて、この実施形態における取り囲み装置１４０２は、固着装置をさらに含んでもよく、この場合、第２の表示スクリーン１４０５、第３の表示スクリーン、および固着装置は、取り囲む機能を連係して提供する。この場合、第３の表示スクリーンは固着装置上に配設されてもよく、または第３の表示スクリーンの端部が固着装置の端部に接続される。また、第１の表示スクリーン１４０１、第２の表示スクリーン１４０５、および第３の表示スクリーンは、同じ表示装置に属してもよく、またはそれぞれ異なる表示装置に属してもよい。コストを考慮して、本発明のこの実施形態における第３の表示スクリーンは、コスト効率の良い材料を使用することができる。あるいは、第３の表示スクリーンは、表示機能のみを有してもよく、タッチスクリーン機能を有しない。より人間工学設計原理に適合して、本発明のこの実施形態における第３の表示スクリーンは弧状にされてもよい。この場合、第３の表示スクリーンは、可撓性材料を使用することができる。
【０２４４】
この実施形態では、２つの表示スクリーンを使用することによってアイコンを連係して表示することが具体的に説明されている。加えて、本発明のこの実施形態は、表示されたアイコンに対してさらなる操作を行うプロセスをさらに提供する。たとえば、本発明のこの実施形態では、表示されたアイコンを移動させる操作がさらに行われてよく、以下では、特定の例を使用することによって、アイコンを移動させる操作を行うプロセスを説明する。
【０２４５】
図１５を参照すると、本発明の実施形態は、ウェアラブルインテリジェントデバイスの第６の実施形態を提供している。この実施形態では、デバイスは、第１の表示スクリーン１５０１、取り囲み装置１５０２（図示せず）、受信器１５０３、およびプロセッサ１５０４を含む。取り囲み装置１５０２は、取り囲む様式でデバイスを人体に固着するように構成され、取り囲み装置１５０２は、第２の表示スクリーン１５０５を含む。
【０２４６】
受信器１５０３は、表示操作命令を受け取るように構成される。
【０２４７】
プロセッサ１５０４は、少なくとも２つのアイコンの予め設定された系列に基づいて、アイコンを第１の表示スクリーン１５０１および第２の表示スクリーン１５０５上で連係して表示するように構成される。
【０２４８】
受信器１５０３は、移動操作命令を受け取るようにさらに構成される。
【０２４９】
この実施形態における移動操作命令は、アイコンに対してユーザによって行われた移動操作が検出された後に生成される命令とすることができる。
【０２５０】
たとえば、第１の表示スクリーン１５０１または第２の表示スクリーン１５０５は、タッチスクリーンとすることができ、この実施形態における移動操作命令は、タッチスクリーン上のスライド操作が検出された後に生成される命令とすることができる。表示スクリーン１５０１と第２の表示スクリーン１５０５の両方がタッチスクリーンであり、両方のタッチスクリーンがユーザのスライド操作に応答できる場合、ユーザが２つの表示スクリーンのいずれかの表示スクリーンに対してスライド操作を行ったこと、または２つの表示スクリーンに対してスライド操作を同時に行ったことが検出された後に、移動操作命令が生成される。第１の表示スクリーン１５０１のみがタッチスクリーンであり、第２の表示スクリーン１５０５がタッチスクリーン機能を有しない、またはシステム設定によって第２の表示スクリーン１５０５がユーザのスライド操作に応答することができないとすると、この場合、ユーザが第１の表示スクリーン１５０１に対してスライド操作を行ったことが検出された後に、移動操作命令が生成される。
【０２５１】
この実施形態における取り囲み装置１５０２が第３の表示スクリーンをさらに含む場合、第１の表示スクリーン１５０１、第２の表示スクリーン１５０５、または第３の表示スクリーンがタッチスクリーンであり、移動操作命令は、タッチスクリーン上のスライド操作が検出された後に生成される命令とすることができる。
【０２５２】
スライド操作の他に、この実施形態における移動操作命令は、あるいは別の形態の操作が検出された後に生成される命令であってもよい。たとえば、第２の表示スクリーン１５０５がタッチスクリーンであることが可能であり、移動操作命令は、タッチスクリーン上のターゲットアイコンを選択する操作が検出された後に生成される命令とすることができ、移動操作命令は、ターゲットアイコンを含む。ターゲットアイコンをユーザによって選択することは、ユーザがターゲットアイコンを第２の表示スクリーン１５０５から第１の表示スクリーン１５０１へ移動させるよう意図することを示す。
【０２５３】
あるいは、この実施形態におけるウェアラブルインテリジェントデバイスは、機械的設定装置をさらに含み、移動操作命令は、機械的設定装置に対する操作が検出された後に生成される命令とすることができる。たとえば、機械的設定装置は機械的ボタンとすることができ、異なる機械的ボタンが異なる移動操作にそれぞれ対応するように設定され得る。たとえば、機械的ボタンが上向きの移動および下向きの移動にそれぞれ対応するように設定される。あるいは、機械的ボタンの異なる位置が、異なる移動操作に対応するように設定されてもよく、または異なる強さおよび異なる方向で機械的ボタンを押圧することが、異なる移動操作に対応するように設定されてもよい。別の例として、機械的設定装置は、機械的レバーであってもよく、機械的レバーが異なる位置へシフトされることが、それぞれ異なる移動操作に対応する。当然ながら、機械的ボタンおよび機械的レバーの他に、本発明のこの実施形態における機械的設定装置は、設定操作を受け取る能力のみを要する別の形態の機械的装置であってもよい。また、本発明のこの実施形態における機械的設定装置は、機械的設定装置の既存の機械的装置であってよく、または新しく追加された機械的装置であってもよく、本発明のこの実施形態はそれに制限を課すものではない。
【０２５４】
以下では、上記の機械的設定装置が配設される位置を説明する。上記の機械的設定装置は、本発明のこの実施形態におけるウェアラブルインテリジェントデバイス上に配設されることができ、たとえば、上記の機械的設定装置は、第１の表示スクリーン１５０１または第２の表示スクリーン１５０５上に配設される。たとえば、ウェアラブルインテリジェントデバイスがスマートウォッチであるとき、機械的ボタンまたは機械的レバーは時計文字盤の側面に配設され得る。上記の機械的設定装置は、本発明のこの実施形態におけるウェアラブルインテリジェントデバイス上に配設されないこともあり、すなわち、上記の機械的設定装置は、ウェアラブルインテリジェントデバイスに物理的に接続されない。この場合、機械的設定装置は、ワイヤレスネットワークを使用することによってウェアラブルインテリジェントデバイスに接続され得る。
【０２５５】
プロセッサ１５０４は、移動操作命令における移動方向を取得し、移動方向、および少なくとも２つのアイコンの予め設定された系列に基づいて、第１の表示スクリーン１５０１および第２の表示スクリーン１５０５上でアイコンの表示位置を移動させるようにさらに構成される。
【０２５６】
移動操作命令は、アイコンを移動する移動方向を含む。この実施形態におけるアイコンが、たとえば、具体的には操作メニューのメニューアイテムである場合、ユーザが下向きのスライド操作を行ったこと、または下向きに機械的ボタンを押圧したことが検出された後、下向きの移動方向を有する移動操作命令が生成され、それは、メニューアイテムが下向きに移動される必要があることを示す。
【０２５７】
第１の表示スクリーン１５０１および第２の表示スクリーン１５０５上のアイコンの表示位置の移動は、実際にリンク様式である。
【０２５８】
好ましい様式では、第１の表示スクリーン１５０１上のアイコンの移動の距離値は、第２の表示スクリーン１５０５上のアイコンの移動の距離値と等しい。当然ながら、第１の表示スクリーン１５０１と第２の表示スクリーン１５０５は、表示スクリーンサイズおよび形状が異なることがあるので、２つの表示スクリーン上のアイコンの移動の距離値は異なることがあり、本発明のこの実施形態はそれに制限を課すものではない。
【０２５９】
第１の表示スクリーン１５０１および第２の表示スクリーン１５０５は、第１の表示スクリーン１５０１および第２の表示スクリーン１５０５上のアイコンの表示されることになる位置を、取得された移動方向およびアイコンの予め設定された系列に従って計算することができ、計算によって得られた表示されることになる位置に従って、アイコンを再配列することができることに留意されたい。
【０２６０】
この実施形態では、受信器１５０３はさらに、移動操作命令におけるパラメータ値を取得することができ、この場合、第１の表示スクリーン１５０１または第２の表示スクリーン１５０５上のアイコンの移動の距離値が、取得されたパラメータ値に対応している。たとえば、パラメータ値は、検出されたスライド操作の時間長またはスライド距離などであり得る。したがって、検出されたスライド操作のより長い時間またはより長いスライド距離が、アイコンのより大きい最終移動距離を示す。
【０２６１】
この実施形態では、移動操作命令が、第２の表示スクリーン１５０５上のターゲットアイコンを選択する操作が検出された後に生成される命令である場合、受信器１５０３は、移動操作命令におけるターゲットアイコンを取得するようにさらに構成され、プロセッサ１５０４が、第１の表示スクリーン１５０１および第２の表示スクリーン１５０５上でアイコンの表示位置を移動させるように構成されることは、具体的には、プロセッサ１５０４が、第１の表示スクリーン１５０１および第２の表示スクリーン１５０５上でアイコンの表示位置を移動させ、第１の表示スクリーン１５０１上でターゲットアイコンを表示するように構成されることである。
【０２６２】
上記の技術的解決策から理解され得るように、この実施形態は、第１の表示スクリーン１５０１および第２の表示スクリーン１５０５を使用することによってアイコンが連係して表示された後、第１の表示スクリーン１５０１と第２の表示スクリーン１５０５とに表示されたアイコンの間にリンクが実現され得ることを主に説明している。
【０２６３】
本発明のこの実施形態では、アイコンが具体的には操作メニューのメニューアイテムであるとき、メニューアイテムの次レベルメニューに進むこと、前レベルメニューに戻ること、およびメインメニューに戻ることの操作プロセスのうちの少なくとも１つが、特定の操作によってさらに実行され得る。以下では、実施形態を使用して、上記の３つの操作プロセスが同時に実行される状況を説明する。
【０２６４】
図１６を参照すると、本発明の実施形態は、ウェアラブルインテリジェントデバイスの第７の実施形態を提供している。この実施形態では、デバイスは、第１の表示スクリーン１６０１、取り囲み装置１６０２（図示せず）、受信器１６０３、およびプロセッサ１６０４を含む。取り囲み装置１６０２は、取り囲む様式でデバイスを人体に固着するように構成され、取り囲み装置１６０２は、第２の表示スクリーン１６０５を含む。
【０２６５】
受信器１６０３は、表示操作命令を受け取るように構成される。
【０２６６】
プロセッサ１６０４は、少なくとも２つのアイコンの予め設定された系列に基づいて、アイコンを第１の表示スクリーン１６０１および第２の表示スクリーン１６０５上で連係して表示するように構成される。
【０２６７】
受信器１６０３は、選択操作命令を受け取るようにさらに構成される。
【０２６８】
この実施形態における選択操作命令は、第１の表示スクリーン１６０１または第２の表示スクリーン１６０５上のメニューアイテム上での選択操作が検出された後に生成される命令とすることができる。選択操作は、タップ、ダブルタップ、タッチアンドホールド、または特定の方向のスライドなどの操作であってよく、本発明のこの実施形態はそれに制限を課すものではない。
【０２６９】
第１の表示スクリーン１６０１と第２の表示スクリーン１６０５の両方がタッチスクリーンであり、両方のタッチスクリーンがユーザの選択操作に応答できる場合、ユーザが２つの表示スクリーンのいずれかの表示スクリーンに対して選択操作を行ったこと、または２つの表示スクリーンに対して選択操作を同時に行ったことが検出された後に、選択操作命令が生成される。第１の表示スクリーン１６０１のみがタッチスクリーンであり、第２の表示スクリーン１６０５がタッチスクリーン機能を有しない、またはシステム設定によって第２の表示スクリーン１６０５がユーザの選択操作に応答することができないとすると、この場合、ユーザが第１の表示スクリーン１６０１に対して選択操作を行ったことが検出された後に、選択操作命令が生成される。
【０２７０】
この実施形態では、ユーザの誤操作を回避する目的を考慮して、第１の表示スクリーン１６０１はさらに、選択されるべき領域として設定されることができ、１つだけのメニューアイテムが第１の表示スクリーン１６０１上に表示され、選択操作命令は、第１の表示スクリーン１６０１上のメニューアイテム上での選択操作が検出された後にのみ生成される。
【０２７１】
プロセッサ１６０４は、選択操作命令における選択されたメニューアイテムを取得し、選択されたメニューアイテムの次レベルメニューを第１の表示スクリーン１６０１および第２の表示スクリーン１６０５上で連係して表示するようにさらに構成される。
【０２７２】
選択操作命令は、選択されたメニューアイテムを含む。実際、メニューアイテムに対してユーザによって行われた選択操作が検出された後、選択されたメニューアイテムがその選択されたメニューアイテムであり、選択されたメニューアイテムを含む選択操作命令が生成され、それは、ユーザがメニューアイテムを選択したことを示す。選択されたメニューアイテムは、メニューアイテムの識別子によって表されることができる。
【０２７３】
この実施形態では、選択されたメニューアイテムが次レベルメニューを有していない場合、操作が行われ得ない、または、次レベルメニューに関連する情報が存在しないことをユーザは通知され得る。
【０２７４】
受信器１６０３は、戻り操作命令を受け取るようにさらに構成される。
【０２７５】
この実施形態における戻り操作命令は、第１の表示スクリーン１６０１および／または第２の表示スクリーン１６０４上の戻り操作が検出された後に生成される命令とすることができる。
【０２７６】
たとえば、戻り領域が第１の表示スクリーン１６０１上に表示されることができ、ユーザが戻り領域を選択したことが検出された後に、戻り操作命令が生成される。あるいは、ユーザが特定の方向でスライドをしたことが検出されたときに、戻り操作命令が生成されてもよい。たとえば、本発明のこの実施形態では、次のように設定され得る。ユーザが左にスライドをしたことが検出されたときに、選択操作命令が生成され、したがって次レベルメニューに進み、ユーザが右にスライドをしたことが検出されたときに、戻り操作命令が生成され、したがって前レベルメニューに戻る。あるいは、特定の機械的ボタンがウェアラブルインテリジェントデバイス上に配設されることができ、ユーザの戻り操作を受け取るように構成される。たとえば、機械的ボタンが第１の表示スクリーン上の特定の位置（たとえば、左ボタン）に配設され、機械的ボタンが押圧されたことが検出されたときに、戻り操作が検出される。
【０２７７】
プロセッサ１６０４は、第１の表示スクリーン１６０１上に現在表示されているメニューアイテムを取得し、取得されたメニューアイテムの前レベルメニューを第１の表示スクリーン１６０１および第２の表示スクリーン１６０５上で連係して表示するようにさらに構成される。
【０２７８】
この実施形態では、取得されたメニューアイテムが前レベルメニューを有していない場合、操作が行われ得ない、または、前レベルメニューに関連する情報が存在しないことをユーザは通知され得る。
【０２７９】
受信器１６０３は、メインメニュー操作命令を受け取るようにさらに構成される。
【０２８０】
この実施形態におけるメインメニュー操作命令は、第１の表示スクリーン１６０１および／または第２の表示スクリーン１６０５上のメインメニューに戻る操作が検出された後に生成される命令とすることができる。
【０２８１】
たとえば、メインメニュー領域は、第１の表示スクリーン１６０１上に表示されることができ、メインメニュー操作命令は、ユーザがメインメニュー領域を選択したことを検出した後に生成される。あるいは、特定の機械的ボタンがウェアラブルインテリジェントデバイス上に配設されることができ、ユーザの戻り操作を受け取るように構成される。たとえば、機械的ボタンが第１の表示スクリーン上の特定の位置（たとえば、右ボタン）に配設され、機械的ボタンが押圧されたことが検出されたときに、メインメニューに戻る操作が検出される。
【０２８２】
プロセッサ１６０４は、操作メニューのメインメニューを第１の表示スクリーン１６０１および第２の表示スクリーン１６０５上で連係して表示するようにさらに構成される。
【０２８３】
上記の技術的解決策から理解され得るように、この実施形態は、操作メニューのメニューアイテムが第１の表示スクリーン１６０１および第２の表示スクリーン１６０５上で連係して表示された後に、次レベルメニューに進むこと、前レベルメニューに戻ること、およびメインメニューに戻ることの操作プロセスが実行され得ることを主に説明している。
【０２８４】
次レベルメニューに進むこと、前レベルメニューに戻ること、およびメインメニューに戻ることの３つの操作プロセスは、この実施形態では同時に実行されるが、別の実施形態では、上記の３つの操作プロセスのうちの１または複数の操作プロセスのみが実行され得ることに留意されたい。
【０２８５】
たいていのウェアラブルインテリジェントデバイス（特にスマートウォッチ）は時間を表示する機能を有するので、本発明のこの実施形態におけるウェアラブルインテリジェントデバイスはさらに、インテリジェント機能と時間表示機能との間の切替えをすることができる。以下では実施形態を使用することによって説明を行う。
【０２８６】
図１７を参照すると、本発明の実施形態は、ウェアラブルインテリジェントデバイスの第８の実施形態を提供している。この実施形態では、デバイスは、第１の表示スクリーン１７０１、取り囲み装置１７０２（図示せず）、受信器１７０３、およびプロセッサ１７０４を含む。取り囲み装置１７０２は、取り囲む様式でデバイスを人体に固着するように構成され、取り囲み装置１７０２は、第２の表示スクリーン１７０５を含む。
【０２８７】
受信器１７０３は、表示操作命令を受け取るように構成される。
【０２８８】
プロセッサ１７０４は、少なくとも２つのアイコンの予め設定された系列に基づいて、アイコンを第１の表示スクリーン１７０１および第２の表示スクリーン１７０５上で連係して表示するように構成される。
【０２８９】
受信器１７０３は、切替え操作命令を受け取るようにさらに構成される。
【０２９０】
この実施形態における切替え操作命令は、ユーザの時間切替え操作が検出された後に生成される命令とすることができる。たとえば、特定の機械的ボタンがウェアラブルインテリジェントデバイス上に配設されることができ、ユーザの時間切替え操作を受け取るように構成される。たとえば、機械的ボタンが第１の表示スクリーン上の特定の位置に配設され、機械的ボタンが押圧されたことが検出されたときに、時間切替え操作が検出される。
【０２９１】
あるいは、この実施形態における切替え操作命令は、時間切替えの予め設定された条件が満たされたことが検出された後に生成される命令とすることができる。たとえば、切替え操作命令は、予め設定された時間内にユーザがこの実施形態におけるデバイスに対していかなる操作も行っていないことが検出された後に生成される。
【０２９２】
プロセッサ１７０４は、第１の表示スクリーン１７０１および第２の表示スクリーン１７０５上に現在表示されているアイコンを隠し、第１の表示スクリーン１７０１および／または第２の表示スクリーン１７０５上に時間を表示するようにさらに構成される。
【０２９３】
時間が表示される部分を除いて、第１の表示スクリーン１７０１および／または第２の表示スクリーン１７０５上の他の部分は、ブラックスクリーン状態にされ得る。
【０２９４】
上記の技術的解決策から理解され得るように、この実施形態は、第１の表示スクリーン１７０１および第２の表示スクリーン１７０５を使用することによってアイコンが連係して表示された後に、時間表示機能への切替えが行われ得ることを主に説明している。この実施形態の後、さらに特定の操作によってアイコンが再表示され得る。
【０２９５】
有用で簡潔な説明のために、上記のシステム、装置、およびユニットの詳細にされた動作プロセスについては、上記の方法実施形態における対応するプロセスに対して参照がされてよく、詳細は本明細書で再度説明されないことは、当業者には明らかに理解され得る。
【０２９６】
本出願で提供されるいくつかの実施形態において、開示されたシステム、装置、および方法は他の様式で実現されてよいことは理解されるべきである。たとえば、説明された装置実施形態は単に例示である。たとえば、ユニット分割は、論理的機能分割であり、実際の実装では他の分割方法であってもよい。たとえば、複数のユニットもしくはコンポーネントが別のシステムに組み合わされ、もしくは一体化されてもよく、またはいくつかの特徴が無視されてもよく、もしくは実施されなくてもよい。加えて、表示されまたは論じられた相互結合もしくは直接的結合または通信接続は、いくつかのインターフェースを介して実現され得る。装置またはユニットの間の間接的結合または通信接続は、電子的、機械的、または他の形態で実現され得る。
【０２９７】
別個の部分として説明されるユニットは、物理的に分離していても分離していなくてもよく、ユニットとして表示された部分は、物理的ユニットであっても物理的ユニットでなくてもよく、１つの位置に配置されてもよく、または複数のネットワークユニットに分散されてもよい。これらのユニットの一部または全部は、実施形態の解決策の目的を達成するための実際の必要性に応じて選択され得る。
【０２９８】
加えて、本発明の実施形態における機能ユニットは、１つの処理ユニットに一体化されてもよく、またはユニットのそれぞれが物理的に単独で存在してもよく、または２以上のユニットが１つのユニットに一体化されてもよい。一体化されたユニットは、ハードウェアの形態で実現されてもよく、またはソフトウェア機能ユニットの形態で実現されてもよい。
【０２９９】
一体化されたユニットが、ソフトウェア機能ユニットの形態で実現され、独立した製品として販売または使用されるとき、一体化されたユニットは、コンピュータ可読記憶媒体に記憶され得る。そのような理解に基づいて、本質的に本発明の技術的解決策、または先行技術に対して貢献する部分、または技術的解決策の全部または一部は、ソフトウェア製品の形態で実現され得る。ソフトウェア製品は、記憶媒体に記憶され、本発明の実施形態で説明された方法のステップの全部または一部を行うようにコンピュータデバイス（パーソナルコンピュータ、サーバ、もしくはネットワークデバイスなどであり得る）に命令するためのいくつかの命令を含む。上記の記憶媒体は、プログラムコードを記憶することができる任意の媒体、たとえば、ＵＳＢフラッシュドライブ、取外し可能なハードディスク、リードオンリメモリ（ＲＯＭ、Read-Only Memory）、ランダムアクセスメモリ（ＲＡＭ、Random Access Memory）、磁気ディスク、または光ディスクなどを含む。
【０３００】
上記の実施形態は、本発明の技術的解決策を説明することが意図されているに過ぎず、本発明を限定することは意図されない。本発明は、上記の実施形態を参照して詳細に説明されているが、当業者は、本発明の実施形態の技術的解決策の趣旨および範囲から逸脱せずに、彼らが上記の実施形態で説明された技術的解決策にさらに修正を行い、またはそれらのいくつかの技術的特徴に対して等価的な置換を行い得ることを理解するべきである。
【図１】
0006314233.tif 000002
【図２】
0006314233.tif 000003
【図３】
0006314233.tif 000004
【図４】
0006314233.tif 000005
【図５】
0006314233.tif 000006
【図６】
0006314233.tif 000007
【図７】
0006314233.tif 000008
【図８】
0006314233.tif 000009
【図９】
0006314233.tif 000010
【図１０】
0006314233.tif 000011
【図１１】
0006314233.tif 000012
【図１２】
0006314233.tif 000013
【図１３】
0006314233.tif 000014
【図１４】
0006314233.tif 000015
【図１５】
0006314233.tif 000016
【図１６】
0006314233.tif 000017
【図１７】
0006314233.tif 000018